(57)【要約】  少なくとも１つの無線システムに従って動作することに適合したワイヤレス遠隔通信ネットワークを構成するための方法であって、ネットワークが、複数の再構成可能な基地無線局（ＢＳ１、ＢＳ２、ＢＳｋ）を含み、各基地無線局は、遠隔通信ネットワークの１つ又は複数のセルを管理することに適合し、各セルは、対応する利用可能な無線リソースを有し、セル負荷ステータスの測定値を得るステップと、セル負荷ステータスの測定値に応じて求められた利用可能な無線リソースをセルのうちの少なくとも１つに割り当てることによって、セルのうちの少なくとも１つを動的に構成するステップとを含む方法。動的に構成するステップは、セル負荷ステータスの測定値に基づいて、セルに割り当てられる少なくとも１つの候補無線リソースを求めるステップと、候補無線リソースをセルに割り当てる前に、候補無線リソースのセルへの割り当てによって引き起こされる可能性のある、無線レベルにおけるネットワーク性能への影響を予測するステップと、予測された影響が所定の要件に従う場合、候補無線リソースをセルに割り当てるステップとを含む。
2011519520.tif 000002
【特許請求の範囲】
【請求項１】
少なくとも１つの無線システムに従って動作することに適合したワイヤレス遠隔通信ネットワークを構成するための方法であって、前記ネットワークは、複数の再構成可能な基地無線局（ＢＳ１、ＢＳ２、ＢＳｋ）を含み、各基地無線局は、前記遠隔通信ネットワークの１つ又は複数のセルを管理することに適合し、各セルは、対応する利用可能な無線リソースを有し、
セル負荷ステータスの測定値を得るステップと、
前記セル負荷ステータスの前記測定値に応じて求められた利用可能な無線リソースを前記セルのうちの少なくとも１つに割り当てることによって、前記セルのうちの少なくとも１つを動的に構成するステップと
を含み、
動的に構成する前記ステップは、
前記セル負荷ステータスの前記測定値に基づいて、前記セルに割り当てられる少なくとも１つの候補無線リソースを求めるステップと、
前記候補無線リソースを前記セルに割り当てる前に、前記候補無線リソースの前記セルへの前記割り当てによって引き起こされる可能性のある、無線レベルにおけるネットワーク性能への影響を予測するステップと、
前記予測された影響が所定の要件に従う場合、前記候補無線リソースを前記セルに割り当てるステップと
を含む、方法。
【請求項２】
前記無線レベルにおける前記ネットワーク性能への影響を予測する前記ステップは、結果の信号対雑音比を予測するステップと、前記予測された信号対雑音比を所定の信号対雑音比と比較するステップとを含む、請求項１に記載の方法。
【請求項３】
前記所定の信号対雑音比は、前記ワイヤレス遠隔通信ネットワークによって提供されるサービスを保証することに適合した最小値である、請求項２に記載の方法。
【請求項４】
結果の信号対雑音比を予測する前記ステップは、
ａ）前記無線リソースの再使用距離を推定するステップ、
ｂ）又はシミュレーションに基づいて前記信号対雑音比を計算するステップ
の何れかを含む、請求項２に記載の方法。
【請求項５】
前記測定されたセル負荷ステータスに応じて、ａ）又はｂ）の何れかを選ぶステップを含む、請求項４に記載の方法。
【請求項６】
前記無線レベルにおける前記ネットワーク性能への影響を予測する前記ステップは、アップリンクにおけるセル負荷率が所定の負荷率閾値を超えていないかどうかを評価するステップを含む、請求項２に記載の方法。
【請求項７】
前記無線レベルにおける前記ネットワーク性能への影響を予測する前記ステップは、セル送信電力が、前記候補無線リソースの前記割り当てを維持するために十分かどうかを評価するステップを含む、請求項２又は６に記載の方法。
【請求項８】
前記候補無線リソースを前記セルに割り当てる前記ステップは、別のセルから前記候補無線リソースを移転するステップを含む、請求項１から７の何れか一項に記載の方法。
【請求項９】
前記セル負荷ステータスの測定値を得る前記ステップが、選択された時間間隔内において、
前記少なくとも１つの無線システムの各々について、前記セルにおける無線トラフィックの量と、
前記少なくとも１つの無線システムの各々について、前記セルにおける利用可能な無線リソース及び利用不能な無線リソースの一方又は双方の量と
を測定するステップを含む、請求項１から８の何れか一項に記載の方法。
【請求項１０】
選択された時間間隔内において、トラフィックの前記量及び無線リソースの前記量を測定する前記ステップは、
前記少なくとも１つの無線システムの各々について、前記セルの各１つに割り当てられ使用中の無線周波数のリスト、
前記少なくとも１つの無線システムの各々について、前記セルの各々に割り当てられ使用中の符号のリスト、
前記少なくとも１つの無線システムの各々について、前記セルの各１つに割り当てられ使用中のタイムスロットのリスト、
前記少なくとも１つの無線システムの各々について、前記セルの各１つに割り当てられ使用中の無線周波数の数、
前記少なくとも１つの無線システムの各々について、前記セルの各１つに割り当てられ使用中の符号の数、
各システムについて、前記セルの各１つに割り当てられ使用中のタイムスロットの数
からなる群に含まれるデータの少なくとも１つの組を測定するステップを含む、請求項９に記載の方法。
【請求項１１】
少なくとも１つのセルを動的に構成する前記ステップは、
前記少なくとも１つの無線システムの各々について、前記セルの各１つにおける、満たされない要求の数と実行された要求の総数との比を表すパラメータを測定するステップと、
前記測定パラメータに基づいて、前記少なくとも１つの無線システムの各々、及び前記ネットワークセルの各１つについて、前記セルの各１つの遮断条件又はステータスを表す値を有する遮断指標を求めるステップと、
前記遮断指標によって求められた優先順序に従って、前記セルを順序付けるステップと、
前記優先順序に応じて、セルの前記組を再構成するステップと
を含む、請求項１から１０の何れか一項に記載の方法。
【請求項１２】
前記ネットワークは複数のセルラシステムに従って動作することに適合し、少なくとも１つのセルを動的に再構成する前記ステップは、
前記複数のセルラシステムの各々についての負荷パラメータを求めるステップであって、前記負荷パラメータは、各セルについて前記複数のシステムのうちの１つに対して測定された負荷ステータスと、各セルについて前記複数のシステムにわたって測定されたグローバル負荷ステータスとに応じて計算された、ステップと、
少なくとも１つのセルにおいて求められた前記無線リソースを前記複数のシステムのうちの第１のシステムから少なくとも１つの第２のシステムに移転するために、各システムについての前記負荷パラメータを使用するステップと
を含む、請求項１から１１の何れか一項に記載の方法。
【請求項１３】
前記少なくとも１つのセルラシステムは、
ＧＳＭタイプ及びその進化型のシステム、
ＵＭＴＳタイプ及びその進化型、特にＨＳＰＡエボリューション及びＥ−ＵＴＲＡのシステム、
ＣｄｍａＯｎｅタイプ及びその進化型のシステム、
Ｃｄｍａ２０００タイプ及びその進化型のシステム、
８０２．１１ファミリ及びその進化型のシステム、
８０２．１６又は８０２．２０ファミリ及びそれらの進化型のシステム、
ＤＶＢ−Ｔ、ＤＶＢ−Ｓ、ＤＶＢ−Ｈ、又はＤＡＢタイプのシステム
からなる群に含まれる、請求項１２に記載の方法。
【請求項１４】
少なくとも１つの無線システムに従って動作するように適合されたワイヤレス遠隔通信ネットワークを構成するための無線リソース管理エンティティであって、請求項１から１３の何れか一項に記載の方法を実施するように構成された無線リソース管理エンティティ。
【請求項１５】
請求項１４に記載の無線リソース管理エンティティを含むワイヤレス遠隔通信ネットワーク。
【請求項１６】
少なくとも１つのコンピュータ又はコンピュータのシステムのメモリにロードされることに適合し、前記コンピュータ又はコンピュータのシステム上で実行されたときに請求項１から１３の何れか一項に記載の方法を実行するためのソフトウェアコードの部分を含むコンピュータプログラム製品。
【発明の詳細な説明】
【技術分野】
【０００１】
本願発明は、一般に、遠隔通信ネットワークの動的構成、特にセルラモバイル無線通信ネットワーク（以降本願明細書では簡潔にセルラネットワークとも呼ばれる）の動的構成に関する。より詳細には、本願発明は、セルラネットワークの基地無線局（ｂａｓｅ  ｒａｄｉｏ  ｓｔａｔｉｏｎ）の動的構成に関する。
【背景技術】
【０００２】
知られているように、セルラネットワークの環境では、（送信機と受信機の間で）送受信される情報の交換は、それぞれの通信無線チャネルを使用する無線通信を介して行われる。本説明の文脈では、「無線チャネル」という用語は、セルラネットワークにおける送信機と受信機の間の無線接続を一義的に識別する物理リソースを指すために使用され、無線チャネルは、アクセス技法、及びシステム又はネットワークのタイプに応じて、異なるタイプとすることができる。
【０００３】
例えば、ＦＤＭＡ（周波数分割多元接続（Ｆｒｅｑｕｅｎｃｙ  Ｄｉｖｉｓｉｏｎ  Ｍｕｌｔｉｐｌｅ  Ａｃｃｅｓｓ））アクセス技法では、無線チャネルは、その周波数によって識別され、ＴＤＭＡ（時分割多元接続（Ｔｉｍｅ  Ｄｉｖｉｓｉｏｎ  Ｍｕｌｔｉｐｌｅ  Ａｃｃｅｓｓ））アクセス技法では、無線チャネルは、タイムスロットによって識別され、ＣＤＭＡ（符号分割多元接続（Ｃｏｄｅ  Ｄｉｖｉｓｉｏｎ  Ｍｕｌｔｉｐｌｅ  Ａｃｃｅｓｓ））アクセス技法では、無線チャネルは、例えば直交タイプの、符号によって識別される。２つ以上のアクセス技法を組み合わせることもでき、そのような場合、無線チャネルは、組み合わされた各アクセス技法の特徴的要素によって識別され、例えば、周知のようにＦＤＭＡ／ＴＤＭＡの組み合わせアクセス技法を使用するＧＳＭ（移動体通信用グローバルシステム（Ｇｌｏｂａｌ  Ｓｙｓｔｅｍ  ｆｏｒ  Ｍｏｂｉｌｅ  ｃｏｍｍｕｎｉｃａｔｉｏｎ））システムでは、無線チャネルは、周波数とタイムスロットのペアによって識別される。
【０００４】
本説明の文脈では、「システム」又は「無線システム」という用語は、決定された基準又は基準の組（即ち「規格」）に従って相互に連携する、通信ネットワーク内の複数の要素を識別するために使用される。
【０００５】
従って、「ＧＳＭシステム」、「ＧＰＲＳ（汎用パケット無線サービス（Ｇｅｎｅｒａｌ  Ｐａｃｋｅｔ  Ｒａｄｉｏ  Ｓｅｒｖｉｃｅ））システム」、「ＥＤＧＥ（エンハンストデータレート・フォー・グローバルエボリューション（Ｅｎｈａｎｃｅｄ  Ｄａｔａ  ｒａｔｅｓ  ｆｏｒ  Ｇｌｏｂａｌ  Ｅｖｏｌｕｔｉｏｎ））システム」、「ＵＭＴＳ（ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ））システム」、「ＷＬＡＮ（ワイヤレス・ワイドエリアネットワーク（Ｗｉｒｅｌｅｓｓ  Ｌｏｃａｌ  Ａｒｅａ  Ｎｅｔｗｏｒｋ））システム」という用語は、対応する規格に関連する、通信ネットワーク内の複数の要素を識別するために使用される。
【０００６】
セルラネットワークは一般に、無線アクセスネットワーク及びコアネットワークを含む。
無線アクセスネットワークは同様に、複数の基地無線局を含み、各基地無線局は、１つ又は複数のセルを管理するように適合され、多くの無線制御ノード又は無線コントローラが、１つ又は複数の基地無線局を管理するように適合される。
【０００７】
システムに応じて、基地無線局は、異なる呼び名をもち、ＧＳＭ／ＧＰＲＳ／ＥＤＧＥシステム又は８０２．１６（ＷＩＭＡＸ）システムでは「ＢＴＳ」（基地トランシーバ局（Ｂａｓｅ  Ｔｒａｎｓｃｅｉｖｅｒ  Ｓｔａｔｉｏｎ））、ＵＭＴＳシステムでは「ノードＢ」（ノードベース（Ｎｏｄｅ  Ｂａｓｅ））ＷＬＡＮ（８０２．１１ｘ）システムでは「アクセスポイント」と呼ばれ、一方、対応する無線制御ノード又は無線コントローラは、ＧＳＭ／ＧＰＲＳ／ＥＤＧＥシステムでは「ＢＳＣ」（基地局コントローラ（Ｂａｓｅ  Ｓｔａｔｉｏｎ  Ｃｏｎｔｒｏｌｌｅｒ））、ＵＭＴＳシステムではＲＮＣ（無線ネットワークコントローラ（Ｒａｄｉｏ  Ｎｅｔｗｏｒｋ  Ｃｏｎｔｒｏｌｌｅｒ））として定義される。
【０００８】
コアネットワークは、様々な名称を有するコアネットワーク要素又はノードを含み、例えば、「ＭＳＣ」（移動体交換センタ（Ｍｏｂｉｌｅ  Ｓｗｉｔｃｈｉｎｇ  Ｃｅｎｔｅｒ））、「ＳＧＳＮ」（サービングＧＰＲＳ支援ノード（Ｓｅｒｖｉｎｇ  ＧＰＲＳ  Ｓｕｐｐｏｒｔ  Ｎｏｄｅ））、及び「ＧＧＳＮ」（ゲートウェイＧＰＲＳ支援ノード（Ｇａｔｅｗａｙ  ＧＰＲＳ  Ｓｕｐｐｏｒｔ  Ｎｏｄｅ））等である。
【０００９】
一般に、無線アクセスネットワークを構成する要素は、それらが属するセルラシステムに特有であり（例えば、ＧＳＭ／ＧＰＲＳ／ＥＤＧＥシステムではＢＴＳ及びＢＳＣ、ＵＭＴＳシステムではノードＢ及びＲＮＣ）、異なるシステムの間で交換可能ではない。コアネットワークは、代わりに、多数の規格又はタイプのシステムを統制及び管理するために使用することができる。
【００１０】
ハードウェアの観点からは、全ての基地無線局（簡潔に基地局）は、基地局が備えるハードウェアの複雑さ及び数量に応じて、基地局がそれ向けに設計されたシステムに関連する最大数の無線リソースを管理することができる。
【００１１】
特に、全ての基地局では、ネットワークトラフィック測定値と、その結果のセルラ再計画に基づいて、静的及び事後的にハードウェアリソース（例えばトランシーバ）の数を増減することによって、送受信容量を変化させることができる。
【００１２】
（共用エリア内に）時間的及び地理的に共存する異なるシステムの開発は、ネットワークがユーザの特徴に応じリソースの使用を最適化するように、同じエリア内で２つ以上のシステムを同時に管理するという技術的問題を引き起こす。一般に、そのような種類の問題は、すでにネットワークを配備しており、そこに新世代システムに準拠したネットワークを追加したい無線モバイルネットワーク事業者又は管理者に生じる（例えば、ＧＳＭ／ＧＰＲＳ／ＥＤＧＥネットワークを実地に配備している事業者が、ＵＭＴＳネットワークを追加したいと望むことがある）。
【００１３】
新しいハードウェアコンポーネントを設置し、それらを既存のものと共存させるという問題に加えて、ネットワーク管理者は、対象エリアのセルにおけるトラフィックの時間的変化に応じて、すでに配備されたシステム専用のハードウェアリソース及び新世代システム専用のハードウェアリソースを動的に管理できることを望むことがある。
【００１４】
当技術分野では、過去に（例えば、ＧＳＭ／ＧＰＲＳ／ＥＤＧＥ、又はＩＳ−９５即ち暫定標準９５（Ｉｎｔｅｒｉｍ  Ｓｔａｎｄａｒｄ  ９５）に準拠した）第２世代セルラネットワークを設置した事業者が、第３世代ネットワーク（例えば、ＵＭＴＳ、又はＣＤＭＡ−２０００即ち符号分割多元接続２０００）を配備できるように、完全に新しいハードウェア要素、特に基地無線局（ノードＢ）及び無線コントローラ（ＲＮＣ）を設備することが提案されている。
【００１５】
例えば、Ｆｌａｖｉｏ  Ｍｕｒａｔｏｒｅ他は、ＵＭＴＳを専門に扱った「ＵＭＴＳ−Ｍｏｂｉｌｅ  Ｃｏｍｍｕｎｉｃａｔｉｏｎｓ  ｆｏｒ  ｔｈｅ  Ｆｕｔｕｒｅ（ＵＭＴＳ−将来の移動体通信）」、Ｊｏｈｎ  Ｗｉｌｅｙ  ＆  Ｓｏｎｓ  Ｌｔｄ．、２００１年の第２章において、コアネットワーク部分を共用し、既存のアクセスネットワークから分離された完全に新しいアクセスネットワークを設備することを提案しており、この場合、アクセスネットワーク間のバランシングは、物理ハードウェアの変更介入（利用可能なリソースの追加又は除去）によってのみ行うことができる。
【００１６】
この種の解決策は、費用がかさみ、動的リソース管理を可能にしない。実際には、第２世代及び第３世代基地局は、しばしば互いに同一場所に配置されるが、異なるシステムに属する無線アクセスネットワークノードは、完全に分離され、互いに独立している。
【００１７】
例えば、Ｊ．Ｍｉｔｏｌａ、「Ｔｈｅ  Ｓｏｆｔｗａｒｅ  Ｒａｄｉｏ  Ａｒｃｈｉｔｅｃｔｕｒｅ（ソフトウェア無線アーキテクチャ）」、ＩＥＥＥ  Ｃｏｍｍｕｎｉｃａｔｉｏｎｓ  Ｍａｇａｚｉｎｅ、１９９５年５月、及びＥ．Ｂｕｒａｃｃｈｉｎｉ、「Ｔｈｅ  Ｓｏｆｔｗａｒｅ  Ｒａｄｉｏ  Ｃｏｎｃｅｐｔ（ソフトウェア無線コンセプト）」、ＩＥＥＥ  Ｃｏｍｍｕｎｉｃａｔｉｏｎｓ  Ｍａｇａｚｉｎｅ、２０００年９月に開示されているような、（移動端末、基地局、及びネットワークノード等から成ることが意図された）アクセスネットワークが再構成可能な要素（装置及びデバイスの一方又は双方）を有するシステムも知られている。これらの再構成可能なシステムは、求めに応じてその動作を再構成できる装置及びデバイスの一方又は双方を備え、例えば、（例えばＧＳＭ／ＧＰＲＳ／ＥＤＧＥネットワークにおける）第２世代システムで動作するように適合された再構成可能な移動端末は、（例えばＵＭＴＳ若しくはＣＤＭＡ  ２０００ネットワークにおける）第３世代システム、ＷＬＡＮシステム、又はＤＶＢ−Ｔ（地上波用デジタルビデオブロードキャスティング（Ｄｉｇｉｔａｌ  Ｖｉｄｅｏ  Ｂｒｏａｄｃａｓｔｉｎｇ  Ｔｅｒｒｅｓｔｒｉａｌ））システム等で動作可能になるように再構成することができる。
【００１８】
装置又はデバイスを構成又は再構成できるようにするには、その動作機能は、同様に構成又は再構成され得る技術を用いて実施されなければならず、従って、再構成可能なデバイスは、ＦＰＧＡ（フィールドプログラマブルゲートアレイ）、ＤＳＰ（デジタル信号プロセッサ）、及びマイクロプロセッサの組から成る再プログラム可能なハードウェアを有し、個々のデバイス機能は、より低いプロトコルレベルでさえも、ソフトウェアで実施される。その結果、そのような装置を再構成するには、デバイスハードウェアを管理する動作ソフトウェアを置き換えれば一般に十分である。
【００１９】
文献ＵＳ５５９２４８０及びＵＳ６０１１７８５は、複数のモバイル無線システムをサポートでき、それらの間で処理リソースを共用できる、アクセスネットワークの基地局を再構成可能なハードウェアを用いてどのように実現するかについて説明している。特に、これらの文献は、多くのセルラシステムをサポートでき、基地局によってカバーされるセルにおけるトラフィックのタイプに応じて、ハードウェアリソースを再構成できる、再構成可能な基地局のアーキテクチャを開示している。再構成可能な基地局は、幾つかの標準化無線インタフェースの使用を可能にするＤＳＰを使用する再構成可能なハードウェアを用いて、セル内のリソースを動的に再配分することによって実現される。ハードウェアリソースの再構成は基地局自体によって自律的に行われ、この基地局は、基地局によってカバーされるセルにおけるトラフィックに応じて自らを構成又は再構成できる。
【００２０】
あるエリア（例えば都市又はその中心部）内の十分に広範なセルの組を考えた場合、１つ又は複数の異なるシステムによって生成されるトラフィックは、１日の異なる時間帯によって、かなり著しく変化することがある。
【００２１】
トラフィックが更に重い（「ホットスポット」と呼ばれる）幾つかのエリアでは、高頻度で呼／接続の遮断を経験している１つ又は複数の混雑したセルが存在する一方で、近くのセルは、負荷がほとんどかかっておらず、又は低いパーセンテージの呼／接続の遮断しか経験していないということも起こり得る。
【００２２】
文献ＵＳ６８９４４３１は、再構成可能なセルラネットワークとの関連で、同一チャネル干渉（ｃｏ−ｃｈａｎｎｅｌ  ｉｎｔｅｒｆｅｒｅｎｃｅ）を考慮した、無線システムのセルを再構成するための方法を開示している。その方法は、同じ無線システムの同じＢＴＳに属するセルにのみ適用可能である。ＢＴＳハードウェアリソースを、トラフィック要件に基づいて、トラフィック需要に比例して、同じＢＴＳの異なるセクタの間で割り当てることができる。同一チャネル干渉は、同じＢＴＳのセルに関してのみ評価される。
【００２３】
文献ＵＳ２００５／１９７１３５は、無線周波数（ＲＦ）モニタと、少なくとも１つの信号プロセッサとを含む、基地局ノードを開示している。ＲＦモニタは、複数のワイヤレス通信デバイスに関連するトラフィックを監視して、対応するエアインタフェース規格を有する少なくとも１つの要求された負荷を決定するように動作可能である。信号プロセッサは、ＲＦモニタに結合され、要求された負荷に対応するエアインタフェース規格をサポートするように動的に再構成されることが可能である。
【００２４】
文献ＷＯ２００６／０６４３０２は再構成可能なネットワークアーキテクチャについて説明しており、この再構成可能なネットワークアーキテクチャは、サービスエリア内に存在する１つ又は複数の無線システムに関するトラフィックの変化に適合することが可能であり、サービス品質を保証するのに役立つパラメータを考慮しながら、基地局の少なくとも１つのセルの輻輳に起因する呼／接続の遮断を動的に低減することが特に可能である。ネットワーク容量を増加／減少させるために考慮されるリソースは、ＧＳＭシステム及びＵＭＴＳシステムのどちらの場合も周波数である。セルの容量は、１つ又は複数のキャリアを追加することによって増加し、それらを除去することによって減少する。
【００２５】
再構成可能なネットワークアーキテクチャは、例えば更なる基地局の追加を招くことなく、基地局によって管理され、１つ又は複数のシステムを含む、セル又は１組のセルの閉塞を動的に低減することが可能である。
【発明の概要】
【発明が解決しようとする課題】
【００２６】
出願人は、セルラネットワークを動的に再構成するための当技術分野で知られている解決策は、再構成がもち得る影響を十分に考慮することなく再構成が作動されるので、完全に満足できるものではないことを認識した。
【００２７】
特にＷＯ２００６／０６４３０２で提案されたネットワークアーキテクチャでは、基地局の再構成は、ネットワーク再構成によって生み出される干渉レベルの可能な変化に関連する側面を無視している。
【００２８】
再構成が行われた後、その結果が期待された結果から外れることがあれば、再構成の利点が損なわれるので、これは無視し得ない制限であると出願人は考える。
【課題を解決するための手段】
【００２９】
出願人は、この問題に対する解決策は、現在のネットワーク構成に施される変更が決定された後、それを実施する前に、ネットワーク動作、特に、干渉及びネットワーク容量の側面等の無線品質に対して、その変更がもち得る影響を予測し、それによって無線アクセスネットワークレベルにおけるネットワーク品質が許容可能であり続けるという条件でのみ変更を実際に実施することにあることを見出した。本願発明の目的では、ネットワークの無線品質が許容可能であり続けることを保証することは、特に、実施された変更の結果として、すでにアクティブな接続／呼が落ちないこと、すでにアクティブな接続／呼の誤り率、遅延、レイテンシが規定された限界内にあり続けることを意味する。ネットワークの無線品質が許容可能であり続けることを保証することは、例えば、干渉及び容量の要件が満たされることを保証することを含む。
【００３０】
本願発明の一態様によれば、少なくとも１つの無線システムに従って動作することに適合したワイヤレス遠隔通信ネットワークを構成するための方法が提供され、このネットワークは、複数の再構成可能な基地無線局を含み、各基地無線局は、上記遠隔通信ネットワークの１つ又は複数のセルを管理することに適合し、各セルは、対応する利用可能な無線リソースを有し、この方法は、
セル負荷ステータスの測定値を得るステップと、
セル負荷ステータスの測定値に応じて求められた利用可能な無線リソースをセルのうちの少なくとも１つに割り当てることによって、セルのうちの少なくとも１つを動的に構成するステップと
を含み、
動的に構成する上記ステップは、
セル負荷ステータスの測定値に基づいて、セルに割り当てられる少なくとも１つの候補無線リソースを求めるステップと、
候補無線リソースをセルに割り当てる前に、候補無線リソースのセルへの割り当てによって引き起こされる可能性のある、無線レベルにおけるネットワーク性能への影響を予測するステップと、
予測された影響が所定の要件に従う場合、候補無線リソースをセルに割り当てるステップと
を含む。
【００３１】
無線レベルにおけるネットワーク性能への影響を予測する上記ステップは、結果の信号対雑音比を予測するステップと、予測された信号対雑音比を所定の信号対雑音比と比較するステップとを含むことができる。
【００３２】
上記所定の信号対雑音比は、例えば、ワイヤレス遠隔通信ネットワークによって提供されるサービスを保証することに適合した最小値である。
結果の信号対雑音比を予測する上記ステップは、ａ）無線リソースの再使用距離（ｒｅ−ｕｓｅ  ｄｉｓｔａｎｃｅ）を推定するステップ、又はｂ）シミュレーションに基づいて信号対雑音比を計算するステップの何れかを含むことができる。
【００３３】
測定されたセル負荷ステータスに応じて、オプションａ）又はｂ）を選択することができる。
無線レベルにおけるネットワーク性能への影響を予測する上記ステップは、アップリンクにおけるセル負荷率（ｌｏａｄ  ｆａｃｔｏｒ）が所定の負荷率閾値を超えていないかどうかを評価するステップを含むことができる。
【００３４】
無線レベルにおけるネットワーク性能への影響を予測する上記ステップは、セル送信電力が、候補無線リソースの割り当てを維持するために十分かどうかを評価するステップを含むことができる。
【００３５】
候補無線リソースをセルに割り当てる上記ステップは、別のセルから候補無線リソースを移転するステップを含むことができる。
セル負荷ステータスの測定値を得る上記ステップは、選択された時間間隔内において、
少なくとも１つの無線システムの各々について、上記セルにおける無線トラフィックの量と、
少なくとも１つの無線システムの各々について、上記セルにおける利用可能な無線リソース及び利用不能な無線リソースの一方又は双方の量と
を測定するステップを含むことができる。
【００３６】
選択された時間間隔内において、トラフィックの上記量及び無線リソースの上記量を測定するステップは、
少なくとも１つの無線システムの各々について、上記セルの各１つに割り当てられ使用中の無線周波数のリスト、
少なくとも１つの無線システムの各々について、上記セルの各々に割り当てられ使用中の符号のリスト、
少なくとも１つの無線システムの各々について、上記セルの各１つに割り当てられ使用中のタイムスロットのリスト、
少なくとも１つの無線システムの各々について、上記セルの各１つに割り当てられ使用中の無線周波数の数、
少なくとも１つの無線システムの各々について、上記セルの各１つに割り当てられ使用中の符号の数、
各システムについて、上記セルの各１つに割り当てられ使用中のタイムスロットの数
からなる群に含まれるデータの少なくとも１つの組を測定するステップを含むことができる。
【００３７】
少なくとも１つのセルを動的に構成する上記ステップは、
少なくとも１つの無線システムの各々について、上記セルの各１つにおける、満たされない要求の数と実行された要求の総数との比を表すパラメータを測定するステップと、
上記測定パラメータに基づいて、上記少なくとも１つの無線システムの各々、及びネットワークセルの各１つについて、上記セルの各１つの遮断条件又はステータスを表す値を有する遮断指標（ｂｌｏｃｋ  ｉｎｄｅｘ）を求めるステップと、
上記遮断指標によって求められた優先順序に従って、上記セルを順序付けるステップと、
上記優先順序に応じて、セルの上記組を再構成するステップと
を含むことができる。
【００３８】
上記ネットワークは、複数のセルラシステムに従って動作することに適合することができ、少なくとも１つのセルを動的に再構成するステップは、
上記複数のセルラシステムの各々についての負荷パラメータを求めるステップであって、この負荷パラメータは、各セルについて上記複数のシステムのうちの１つに対して測定された負荷ステータスと、各セルについて上記複数のシステムにわたって測定されたグローバル負荷ステータスとに応じて計算された、ステップと、
少なくとも１つのセルにおいて求められた上記無線リソースを上記複数のシステムのうちの第１のシステムから少なくとも１つの第２のシステムに移転するために、各システムについての上記負荷パラメータを使用するステップと
を含むことができる。
【００３９】
上記少なくとも１つのセルラシステムは、
ＧＳＭタイプ及びその進化型のシステム、
ＵＭＴＳタイプ及びその進化型、特にＨＳＰＡエボリューション及びＥ−ＵＴＲＡのシステム、
ＣｄｍａＯｎｅタイプ及びその進化型のシステム、
Ｃｄｍａ２０００タイプ及びその進化型のシステム、
８０２．１１ファミリ及びその進化型のシステム、
８０２．１６又は８０２．２０ファミリ及びそれらの進化型のシステム、
ＤＶＢ−Ｔ、ＤＶＢ−Ｓ、ＤＶＢ−Ｈ、又はＤＡＢタイプのシステム
からなる群に含まれることができる。
【００４０】
本願発明の別の態様によれば、少なくとも１つの無線システムに従って動作することに適合したワイヤレス遠隔通信ネットワークを構成するための無線リソース管理エンティティが提供され、この無線リソース管理エンティティは、上記の方法を実施するように構成される。
【００４１】
本願発明の別の態様によれば、無線リソース管理エンティティを含むワイヤレス通信ネットワークが提供される。
本願発明の更に別の態様によれば、場合によっては１組のコンピュータプログラム製品部分からなるコンピュータプログラム製品が提供され、このコンピュータプログラム製品は、少なくとも１つのコンピュータのメモリにロードでき、少なくとも１つのコンピュータ上で実行されたときに上記の方法を実行するためのソフトウェアコードの部分を含む。本願明細書で使用される場合、そのようなコンピュータプログラム製品に対する言及は、本願発明によるプロセスの実行を調整するよう、コンピュータシステムを制御するための命令を含むコンピュータ可読媒体と等価であることを意味する。「少なくとも１つのコンピュータ」に対する言及は、本願発明が分散型の手法及びモジュール式の手法の一方又は双方で実施される可能性を強調することを意図している。
【００４２】
本願発明の上記及び他の特徴及び利点は、もっぱら非限定的な例によって提供される本願発明の幾つかの例示的な実施形態についての以下の詳細な説明を添付の図面と併せて読むことによって明らかとなる。
【図面の簡単な説明】
【００４３】
【図１】本願発明の一実施形態によるネットワークのアーキテクチャを概略的に示す図である。
【図２】図２Ａは、再割り当て前におけるＧＳＭシステムとＵＭＴＳシステムの間のリソース再割り当ての一例を示す図である。図２Ｂは、再割り当て後におけるＧＳＭシステムとＵＭＴＳシステムの間のリソース再割り当ての一例を示す図である。
【図３】本願発明の一実施形態による、ＧＳＭシステムの場合のセルの活動ステータスの監視手順を示すフローチャートである。
【図４】本願発明の一実施形態による、ＵＭＴＳシステムの場合のセルの活動ステータスの監視手順を示すフローチャートである。
【図５】本願発明の一実施形態による、再構成手順の第１のステップを示す図である。
【図６】本願発明の一実施形態による、再構成手順の第２のステップを示す図である。
【図７】本願発明の一実施形態による、ＧＳＭ基地局に追加される無線リソースを識別するための手順を示す図である。
【図８】本願発明の一実施形態による、ＧＳＭ基地局から除去される無線リソースを識別するための手順を示す図である。
【図９】本願発明の一実施形態による、ＵＭＴＳ基地局に追加される無線リソースを識別するための手順を示す図である。
【図１０】本願発明の一実施形態による、ＵＭＴＳ基地局に追加される無線リソースを識別するための手順を示す図である。
【図１１】本願発明の一実施形態による、ＵＭＴＳ基地局に追加される無線リソースを識別するための手順を示す図である。
【図１２】本願発明の一実施形態による、ＵＭＴＳ基地局から除去される無線リソースを識別するための手順を示す図である。
【図１３】本願発明の一実施形態による、再構成メッセージを受信したときにネットワークの基地無線局によって実行される手順を示す図である。
【図１４】本願発明の一実施形態による、プロトコルメッセージの構造を示す図である。
【図１５】本願発明の一実施形態による、プロトコルメッセージの構造を示す図である。
【図１６】本願発明の一実施形態による、プロトコルメッセージの構造を示す図である。
【図１７】本願発明の一実施形態による、再使用距離を計算する方法を絵で示す図である。
【発明を実施するための形態】
【００４４】
図面を参照すると、本願発明の一実施形態が適用可能であるネットワークのアーキテクチャが、図１に概略的に示されている。図面には、セルラシステムの無線アクセスネットワークの制御ノード又は無線コントローラ（ＲＣ）１０（例えば、ＧＳＭ／ＧＰＲＳ／ＥＤＧＥシステムの場合のＢＳＣノード、又はＵＭＴＳシステムの場合のＲＮＣノード）と、無線コントローラ１０によって管理される複数の基地局ＢＳ１、ＢＳ２、．．．、ＢＳｋ（ＧＳＭ／ＧＰＲＳ／ＥＤＧＥの場合のＢＴＳ局又はＵＭＴＳの場合のノードＢ）と、全体でセルラシステム内の汎用ネットワークのノードを表す、コアネットワーク２０が示されている。現実のシナリオでは、ネットワークは、複数の無線コントローラを含むことができ、各無線コントローラは、それぞれの（複数の）基地局を管理することが意図される。
【００４５】
各基地局ＢＳ１、ＢＳ２、．．．、ＢＳｋは、それぞれの無線コントローラ１０に接続され、無線コントローラ１０は同様に、従来の接続を用いてコアネットワーク２０に接続される。
【００４６】
本願発明の一実施形態によれば、基地局ＢＳ１、ＢＳ２、．．．、ＢＳｋは、再構成可能なタイプであり、異なる通信システムをサポートすることが可能である。
各基地局ＢＳ１、ＢＳ２、．．．、ＢＳｋは、再構成可能なタイプのハードウェア及びソフトウェアの一方又は双方の送受信モジュール（基地局トランシーバ又はトランシーバ）ＢＳＫａ、ＢＳＫｂ、．．．、ＢＳＫｎを含み、汎用基地局ＢＳ１、ＢＳ２、．．．、ＢＳｋは、以下で詳細に説明されるように、無線コントローラ１０から到来するプロトコルメッセージに応じて、トランシーバＢＳｋａ、ＢＳｋｂ、．．．、ＢＳｋｎを管理するように構成される。
【００４７】
本願発明の一実施形態によれば、トランシーバＢＳＫａ、ＢＳＫｂ、．．．、ＢＳＫｎは、各基地局ＢＳ１、ＢＳ２、．．．、ＢＳｋによって管理される１つ又は複数のセルの１つ又は複数の無線チャネル（無線リソース）を管理するように適合される。
【００４８】
無線コントローラ１０は同様に、モバイルネットワークにおいて、例えばＧＳＭ／ＧＰＲＳ／ＥＤＧＥの場合のＢＴＳ局及びＵＭＴＳの場合のノードＢ等、基地局ＢＳ１、ＢＳ２、．．．、ＢＳｋによって使用される、異なるシステムの無線リソースを管理するように構成される。
【００４９】
本願発明の一実施形態によれば、無線コントローラ１０は、無線コントローラ１０に接続された基地局ＢＳ１、ＢＳ２、．．．、ＢＳｋによって管理されるセルにたまたま所在する移動端末による無線チャネルの要求及び移動端末への無線チャネルの割り当てを管理する目的を有する、一般にＲＲＭ（無線リソース管理（Ｒａｄｉｏ  Ｒｅｓｏｕｒｃｅ  Ｍａｎａｇｅｍｅｎｔ））１２と呼ばれるエンティティを含む。本願発明の一実施形態によれば、無線リソース構成管理エンティティ（以降本願明細書では構成マネージャ（Ｃｏｎｆｉｇｕｒａｔｉｏｎ  Ｍａｎａｇｅｒ）又はＣＭとも呼ばれる）１４は、ＲＲＭエンティティ１２に関連付けられ、結合され、ＣＭ１４は、ＲＲＭ１２と連携して、異なるシステムの無線リソースの管理を可能にするように適合される。
【００５０】
本願発明の代替実施形態では、無線リソース構成管理エンティティ（ＣＭ１４）は、例えばコアネットワーク内等、無線コントローラとは異なるネットワークの一部に挿入することができる。この解決策は、例えば、ＷＬＡＮ、８０２．１６（ＷＩＭＡＸ）又は８０２．２０、ＤＶＢ−Ｔ、ＤＶＢ−Ｓ、ＤＶＢ−Ｈシステム等、無線コントローラ機能を含まない規格に従って動作するように適合された、無線リソースを含むネットワークを管理するのに特に適している。更に、無線リソース構成管理エンティティは、無線コントローラのプレゼンスを提供する、ネットワークのコアネットワークノード内、例えばＭＳＣ（移動体交換センタ）内に含むことができる。この場合、無線リソース構成管理エンティティは、１つ又は複数の無線コントローラによって制御される複数のセルをチェックし、再構成するために、１つ又は複数の無線コントローラと連携するように有利に構成することができる。
【００５１】
ＣＭ１４は、ネットワークの少なくとも２つの基地無線局からなるグループに関連付けられる。ＣＭ１４は、それに関連付けられた基地局に接続されたセルの無線リソースを監視し、構成するように適合される。好ましくは、ＣＭ１４は、以下の機能又はマクロステップ、即ち、
−  ＣＭ１４に関連付けられたセルの負荷ステータスを監視し、測定して、例えば、異なるシステムから到来するサービス要求について検討すること、
−  ＣＭ１４に関連付けられたセルの条件をチェックし、チェックの結果に応じて、利用可能なハードウェアリソースがセルに必要とされるトラフィック量に比例して様々なシステムの間で共用されるように、基地無線局によって管理されるセルを動的に構成（又は再構成）すること
を実施するように適合された１つ又は複数のプログラムモジュールを備える。
【００５２】
本説明の以降の部分では、ＣＭ１４は、無線コントローラの一部であると仮定されるが、これは限定的に解釈されるべきではなく、説明されることは、当業者には容易に明らかな適切な変更を施して、ＣＭが無線コントローラの一部ではない代替実施形態にも適用することができる。
【００５３】
無線コントローラ１０は、以下で詳細に説明されるように、ＣＭ１４を用いて、異なる基地局ＢＳ１、ＢＳ２、．．．、ＢＳｋによって管理されるセルの負荷ステータスを測定することが可能であり、測定の結果に基づいて、ＣＭ１４によって管理される再構成コマンドを用いて、トランシーバＢＳｋａ、ＢＳｋｂ、．．．、ＢＳｋｎに働きかけて、様々な基地局ＢＳ１、ＢＳ２、．．．、ＢＳｋのセルを動的に再構成することが可能である。
【００５４】
説明されるアーキテクチャは、例えば、セルによって経験される負荷に応じて、様々な通信システムに割り当てられる無線リソースの管理を最適化することを可能にする。例えば、図２Ａ及び図２Ｂを参照すると、ＧＳＭ／ＧＰＲＳ／ＥＤＧＥ及びＵＭＴＳ等の２つの通信システムを考え、セルのグループが重いＧＳＭ／ＧＰＲＳ／ＥＤＧＥトラフィックを経験している一方で、ＵＭＴＳトラフィックは相対的にまれであると仮定した場合、説明された構成のＣＭ１４は、トランシーバの処理能力の大部分がＧＳＭ／ＧＰＲＳ／ＥＤＧＥシステムに予約されるように、トランシーバＢＳｋａ、ＢＳｋｂ、．．．、ＢＳｋｎに働きかけることによって、セルの無線リソースを再構成することを引き受ける。同様に、セルのあるグループでは、ＧＳＭトラフィックがめったに経験されない一方で、ＵＭＴＳトラフィックは相対的に重い場合、ＣＭ１４は、トランシーバの処理能力の大部分がＵＭＴＳシステムに予約されるように、トランシーバＢＳｋａ、ＢＳｋｂ、．．．、ＢＳｋｎに働きかけることによって、セルの無線リソースを再構成することを引き受ける。
【００５５】
従って、ＣＭ１４は、関連する基地無線局に関係するセルの活動ステータスを監視及び測定する機能を有し、監視されるセルの活動ステータスに応じて、ＣＭ１４は、必要な場合には、以下で詳細に説明されるように、トランシーバＢＳｋａ、ＢＳｋｂ、．．．、ＢＳｋｎに送信される適切な再構成コマンド又はメッセージを用いて、基地無線局モジュールを再構成することができる。
【００５６】
ＣＭ１４は、ネットワーク内で管理される異なる通信システムに関する活動に関連する１組のデータを、全てのセルについて監視するか、例えば内部メモリに保存するか、又は監視し保存するように構成された、ソフトウェア及びハードウェアの一方又は双方のモジュールを含む。
【００５７】
本願明細書で説明される本願発明の例示的な実施形態では、汎用セルステータスは、
−  セル内に存在する全ての通信システムについて、そのセルによって経験されているトラフィックの量の表示、及び
−  各通信システムについて、そのセルで利用可能及び利用不能な無線リソースの量の表示
を含むことが意図される。利用可能なリソースは、可能な制約を考慮して、あるセルにおいて使用できるリソースであり、利用不能なリソースは、例えば、ＧＳＭの場合の近隣セルにおいてすでに使用されている周波数、ＵＭＴＳの場合の利用不能なスクランブリング符号等、何らかの可能な制約のために、あるセルにおいて使用できない無線リソースである。
【００５８】
特に、本願発明の一実施形態によれば、ＣＭ１４は、例えば、ネットワーク計画パラメータに応じて、ネットワーク事業者（ネットワーク管理者）によって設定される初期条件から開始して、上で述べられたマクロステップを繰り返し実行するように構成され、ＣＭ１４によって実行されるマクロステップは、例えば、
−  後でより良く説明されるように、ＣＭ１４が、制御される各セルについてのＧＳＭ活動及びＵＭＴＳ活動の数を示すデータを測定するか、保存するか、又は測定し保存する、（例えばネットワーク管理者によって定義される）時間長Ｔの第１のマクロステップと、
−  それぞれの基地局ＢＳ１、ＢＳ２、．．．、ＢＳｋ内のトランシーバＢＳｋａ、ＢＳｋｂ、．．．、ＢＳｋｎのリソース再構成を実行する必要があるかどうかを、ＣＭ１４が、測定された活動の数に応じて、全てのセルについてチェックし、必要がある場合は、ＣＭが再構成を実行する、第２のマクロステップと
を含むことができる。
【００５９】
第２のマクロステップでは、基地無線局ＢＳ１、ＢＳ２、．．．、ＢＳｋの動的無線リソース再構成が、無線コントローラ１０と基地無線局ＢＳ１、ＢＳ２、．．．、ＢＳｋの間で、様々な基地無線局のトランシーバＢＳｋａ、ＢＳｋｂ、．．．、ＢＳｋｎを再構成することを可能にするように適合された１組のプロトコルメッセージを交換することによって実行される。
【００６０】
特に、本願発明の一実施形態によれば、メッセージは、ＣＭ１４によって生成され、基地無線局ＢＳ１、ＢＳ２、．．．、ＢＳｋを用いて、トランシーバＢＳｋａ、ＢＳｋｂ、．．．、ＢＳｋｎと交換される。
【００６１】
以降本願明細書では、基地無線局ＢＳ１、ＢＳ２、．．．、ＢＳｋを再構成することを可能にするように適合されたプロトコルメッセージの一例が提供される。
メッセージは、無線コントローラ１０と基地無線局ＢＳ１、ＢＳ２、．．．、ＢＳｋの間で、無線コントローラと基地無線局の間の既存の接続を使用して、又は特定の接続を提供して、交換することができる。
【００６２】
本願発明の一実施形態によれば、メッセージは、例えば、以下のものを含む。
ａ）ＣＥＬＬ  ＲＥＣＯＮＦＩＧＵＲＡＴＩＯＮ  ＣＯＭＭＡＮＤメッセージ、ＣＭ１４によって１つ又は複数の基地局ＢＳ１、ＢＳ２、．．．、ＢＳｋに送信され、セル再構成プロセスを制御するように適合される。このタイプの汎用メッセージは、図１４に示される、例えば以下のフィールドのうちの少なくとも１つを含む。
【００６３】
・セル識別子：Ｃｅｌｌ−Ｉｄ
・構成されるＧＳＭリソースの数：Ａ−ＧＳＭ
・構成されるＵＭＴＳリソースの数：Ａ−ＵＭＴＳ
・セル内で活動化されているＧＳＭキャリアのリスト：ＡｃｔｉｖｅＦｒｅｑ−ＧＳＭ
・セル内で活動化されているＵＭＴＳキャリアのリスト：ＡｃｔｉｖｅＦｒｅｑ−ＵＭＴＳ
ｂ）ＣＥＬＬ  ＲＥＣＯＮＦＩＧＵＲＡＴＩＯＮ  ＣＯＭＰＬＥＴＥメッセージ、１つ又は複数の基地局ＢＳ１、ＢＳ２、．．．、ＢＳｋによってＣＭ１４に送信され、セル再構成プロセスの完了を通知するように適合される。このタイプの汎用メッセージは、図１５に示されるように、例えば少なくとも以下のフィールドを含む。
【００６４】
・セル識別子：Ｃｅｌｌ−Ｉｄ
ｃ）ＣＥＬＬ  ＲＥＣＯＮＦＩＧＵＲＡＴＩＯＮ  ＦＡＩＬＵＲＥメッセージ、１つ又は複数の基地局ＢＳ１、ＢＳ２、．．．、ＢＳｋによってＣＭ１４に送信され、セル再構成プロセスの失敗を通知するように適合される。このタイプの汎用メッセージは、図１６に示されるように、例えば少なくとも以下のフィールドを含む。
【００６５】
・セル識別子：Ｃｅｌｌ−Ｉｄ
様々なメッセージの数及び内容は、上で述べられた例示的なメッセージとは異なり得るが、一般に、再構成プロセスの開始、完了、又は中止を可能にするどのようなメッセージも適切とすることができる。
【００６６】
本願発明の一実施形態によるセルステータスに関連するデータが、これ以降で列挙される。特に、ＧＳＭ／ＧＰＲＳ／ＥＤＧＥシステム及びＵＭＴＳシステムの場合に使用されるデータの一例が提示される。
【００６７】
以降本願明細書では、上付き文字又は下付き文字の「ＧＳＭ」付きで示されるデータは、ＧＳＭ／ＧＰＲＳ／ＥＤＧＥシステムに関連することが意図され、一方、上付き文字又は下付き文字の「ＵＭＴＳ」付きで示されるデータは、ＵＭＴＳシステムに関連することが意図される。
【００６８】
加えて、以降本願明細書では、セルを修飾する「近隣（ｎｅｉｇｈｂｏｒ）」又は「隣接する（ｎｅｉｇｈｂｏｒｉｎｇ）」という用語によって、例えば、電磁気的及びトポロジ的の一方又は双方の近傍等、任意のタイプのセル近傍が意味される。
【００６９】
更に、本願明細書で提供される例では、ＧＳＭ／ＧＰＲＳ／ＥＤＧＥシステムで使用される周波数並びにＵＭＴＳシステムで使用される周波数及びスクランブリング符号のみが、無線リソースと見なされる。しかし、これは、本願発明に対する限定として意図したものではなく、考えることができる無線リソースの単なる一例にすぎない。
【００７０】
本願発明の一実施形態では、セルステータスに関連するデータは、以下のものを含む。
ＰｌａｎｎｅｄＦｒｅｑＧＳＭ：各セル内で使用するために計画された全てのＧＳＭ周波数からなるリスト。
【００７１】
ＡｃｔｉｖｅＦｒｅｑＧＳＭ：各セル内で現在アクティブなＧＳＭ周波数からなるリスト。
ＡｖａｉｌａｂｌｅＦｒｅｑＧＳＭ：対象セル（現在のセル）及びその近隣のセルにおいて現在使用されていないＧＳＭ周波数からなるリスト。このリストは、現在のセル及び隣接セル内で現在使用されていない周波数のみを含む。このリストは、以下の式によって獲得することができ、インデックスｉ＝０は、現在のセルを識別し、１≦ｉ≦ｋは、現在のセルの近隣のｋ個のセルを識別する。
【００７２】
【数１】
2011519520.tif 000003
【００７３】
ＡｄｄＣａｒｒｉｅｒＧＳＭ：セルに割り当てられる新しいＧＳＭ周波数。
ＤｒｏｐＣａｒｒｉｅｒＧＳＭ：セルから非活動化されるＧＳＭ周波数。
Ｃ／ＩＴＨＲ：ＧＳＭサービスを保証するように適合された全体的な信号／干渉比の最小必要値。この値は、全てのネットワークに対してネットワーク管理者によって設定される一意的な値とすることができ、又はセル毎に設定することもできる。
【００７４】
Ｔｍｉｎ：ネットワーク管理者が、後でより詳細に説明されるように、簡略化された方法で（即ち再使用距離の概念に基づいて）、信号／干渉比に関してセルの性能を計算することを望む期間Ｔの最小値。
【００７５】
ＡｖａｉａｂｌｅｌＦｒｅｑＥＸＴＧＳＭ：ネットワーク事業者に認可されておらず、ある時間間隔の間、ネットワークの外部から利用可能にされるＧＳＭ周波数（例えば、異なるネットワーク事業者に認可されており、例えばスペクトルブローカによる賃貸借用に利用可能にされるＧＳＭ周波数）からなるリスト。
【００７６】
Ａｒｅａｉｎｔ：セルの平均信号／干渉比Ｃ／Ｉが、後でより詳細に説明されるように、（Ｃ／Ｉの推定を含む）網羅的な方法に基づいて計算されるエリア。
Ｒ：平均セル半径。
【００７７】
ＰｌａｎｎｅｄＦｒｅｑＵＭＴＳ：各セル内で使用するために計画された全てのＵＭＴＳ周波数からなるリスト。
ＡｃｔｉｖｅＦｒｅｑＵＭＴＳ：各セル内で現在アクティブなＵＭＴＳ周波数からなるリスト。
【００７８】
ＡｖａｉｌａｂｌｅＦｒｅｑＵＭＴＳ：対象セル（現在のセル）及びその近隣のセルにおいて現在使用されていないＵＭＴＳ周波数からなるリスト。このリストは、現在のセル及びその隣接セル内で現在使用されていない周波数のみを含む。このリストは、以下の式によって獲得することができ、インデックスｉ＝０は、現在のセルを表し、１≦ｉ≦ｋは、現在のセルのｋ個の隣接セルを表す。
【００７９】
【数２】
2011519520.tif 000004
【００８０】
ＡｄｄＣａｒｒｉｅｒＵＭＴＳ：セルに割り当てられる新しいＵＭＴＳ周波数。
ＤｒｏｐＣａｒｒｉｅｒＵＭＴＳ：セルから非活動化されるＵＭＴＳ周波数。
ＡｃｔｉｖｅＣｏｄｅＵＭＴＳｉ：リストＡｃｔｉｖｅＦｒｅｑＵＭＴＳに属するＵＭＴＳ周波数ｆｉに関連するスクランブリング符号からなるリスト。リストの一般要素ＡｃｔｉｖｅＣｏｄｅＵＭＴＳｉはＰＳＣｊで示される。
【００８１】
ＡｄｄＣｏｄｅＵＭＴＳ：セルのＵＭＴＳ周波数に割り当てられる新しいスクランブリング符号。
ＤｒｏｐＣｏｄｅＵＭＴＳ：セルのＵＭＴＳ周波数に関して非活動化されるスクランブリング符号。
【００８２】
ＡｒｅａＡｃｔｉｖｅＣｏｄｅＵＭＴＳ：対象エリア内で現在アクティブなスクランブリング符号からなるリスト。
ＡｒｅａＡｖａｉｌａｂｌｅＣｏｄｅＵＭＴＳ：対象エリア内で現在使用されていないスクランブリング符号からなるリスト。
【００８３】
ＡｖａｉｌａｂｌｅＦｒｅｑＥＸＴＵＭＴＳ：ある時間間隔の間、（例えばスペクトルブローカによって）ネットワークの外部から利用可能にされるＵＭＴＳ周波数からなるリスト。
【００８４】
ＮＧＳＭ：各セルにおいて現在割り当てられているが、必ずしも使用されていないＧＳＭ無線チャネルの数。これは、現在のハードウェア構成に従って、各セルにおいて活動化できるＧＳＭトランシーバの最大数である。
【００８５】
ＮＵＭＴＳ：各セルにおいて現在割り当てられているが、必ずしも使用されていないＵＭＴＳ無線チャネルの数。これは、現在のハードウェア構成に従って、各セルにおいて活動化できるＵＭＴＳトランシーバの最大数である。
【００８６】
Ｎｔｏｔ：各セルにおいて現在割り当てられているが、必ずしも使用されていないＧＳＭ無線チャネルとＵＭＴＳ無線チャネルの総数。現在の例では、これは、ＮＧＳＭとＮＵＭＴＳの合計である。
【００８７】
ＡＧＳＭ：今回の構成の後のＧＳＭ無線チャネルの数。ＡＧＳＭ＝ＮＧＳＭ±Δであり、ここで、Δは、今回割り当てられる／非活動化される無線チャネルの数に等しい。
ＡＵＭＴＳ：今回の構成の後のＵＭＴＳ無線チャネルの数。ＡＵＭＴＳ＝ＮＵＭＴＳ±Δであり、ここで、Δは、今回割り当てられる／非活動化される無線チャネルの数に等しい。
【００８８】
ＲＥＳｔｏｔ：管理されている全てのシステム（即ち考察中の例ではＧＳＭシステムとＵＭＴＳシステムの両方）について、各セルのために利用可能な無線チャネルの最大数。この数は、基地局を実施するために使用される再構成可能なハードウェアの複雑さに依存する。ＮＧＳＭ、ＮＵＭＴＳ、ＡＧＳＭ、及びＡＵＭＴＳパラメータに応じて、以下の関係が成り立つ。
【００８９】
ＮＧＳＭ＋ＮＵＭＴＳ＝Ｎｔｏｔ≦ＲＥＳｔｏｔ
ＡＧＳＭ＋ＡＵＭＴＳ＝Ｎ’ｔｏｔ≦ＲＥＳｔｏｔ
ＲＥＳ＿ＦＲＥＱＧＳＭ：ＧＳＭ周波数によって利用されるハードウェアリソースの量。
【００９０】
ＲＥＳ＿ＦＲＥＱＵＭＴＳ：１つの関連するスクランブリング符号を伴うＵＭＴＳ周波数によって利用されるハードウェアリソースの量。
ＲＥＳ＿ＣＯＤＥＵＭＴＳ：ＵＭＴＳシステムにおいて１つのスクランブリング符号によって利用されるハードウェアリソースの量。
【００９１】
ｋＧＳＭ：メモリ定数。これは、セルにおいて割り当てられるＧＳＭ無線チャネルの数の時間平均を計算するために使用される重みである（０≦ｋＧＳＭ≦１）。
ｋＵＭＴＳ：メモリ定数。これは、セルにおいて割り当てられるＵＭＴＳ無線チャネルの数の時間平均を実行するために使用される重みである（０≦ｋＵＭＴＳ≦１）。
【００９２】
αＴＨＲＥＳＨＯＬＤ：これを下回ると、以下で説明される手順において使用される量であるα値がゼロと見なされる、例えばネットワーク事業者によって定義される閾値。
βＴＨＲＥＳＨＯＬＤ：これを下回ると、以下で説明される手順において使用される量であるβ値がゼロと見なされる、例えばネットワーク事業者によって定義される閾値。
【００９３】
Ｔ：無線コントローラ１０によって制御される各セルについてのＧＳＭ活動及びＵＭＴＳ活動の数の監視期間。
ＲＧＳＭ：直近の監視期間中に活動（例えば、ショートメッセージサービス（ＳＭＳ）メッセージ若しくはマルチメディアメッセージサービス（ＭＭＳ）メッセージを送信する活動、又は電話を受ける若しくは電話を掛ける活動）を経験した、各セルについてのＧＳＭ端末の数のカウンタ。
【００９４】
ｏｌｄＲＧＳＭ：直近の１つ前の監視期間中に活動を経験した、各セルについてのＧＳＭ端末の数のカウンタ。
ＢｌｏｃｋＴｈｒｅｓｈｏｌｄＧＳＭ：これを上回るとセルに新しい無線チャネルを追加することができる、各セルについての遮断されたＧＳＭ呼のパーセンテージ値の閾値。
【００９５】
ＢｌｏｃｋｅｄＧＳＭ．ｍａｘ：これを上回ると、（再使用距離に基づいた）簡略化された方法でＣ／Ｉに関してのセル性能が計算される、遮断されたＧＳＭ呼のパーセンテージ値。このパーセンテージ値は、ネットワーク全体に対して設定される一意的な値とすることができ、又はセル毎に設定することもできる。
【００９６】
ＲＥＱＧＳＭ：直近の監視期間中に、何らかの理由で（例えば、ＳＭＳ／ＭＭＳメッセージの送信のため、電話を受けるため、電話を掛けるため）システムへのアクセスを獲得するためにＧＳＭ端末によって行われた、各セルについてのリクエストの数。
【００９７】
ＲＥＪＧＳＭ：直近の監視期間中にリソース不足が原因で遮断された、各セルについてのＧＳＭ端末からのリクエストの数のカウンタ。
ＲＵＭＴＳ：直近の監視期間中に活動を経験した、各セルについてのＵＭＴＳ端末の数のカウンタ。
【００９８】
ｏｌｄＲＵＭＴＳ：直近の１つ前の監視期間中に活動を経験した、各セルについてのＵＭＴＳ端末の数のカウンタ。
ＢｌｏｃｋＴｈｒｅｓｈｏｌｄＵＭＴＳ：これを上回るとセルに新しい無線チャネルを追加することができる、各セルについての遮断されたＵＭＴＳ呼のパーセンテージ値の閾値。
【００９９】
ＲＥＱＵＭＴＳ：直近の監視期間中に何らかの理由でシステムへのアクセスを獲得するためにＵＭＴＳ端末から行われた、各セルについてのリクエストの数のカウンタ。
ＲＥＪ＿ＵＬＵＭＴＳ：直近の監視期間中にアップリンク（ＵＬ）において許容可能な干渉限界を超えたことが原因で遮断された、各セルについてのＵＭＴＳ端末から到来した拒否されたリクエストの数のカウンタ。
【０１００】
ＲＥＪ＿ＤＬ＿ｃｏｄｅＵＭＴＳ：直近の監視期間中にダウンリンク（ＤＬ）においてスクランブリング符号が利用不能であることが原因で遮断された、各セルについてのＵＭＴＳ端末から到来した拒否されたリクエストの数のカウンタ。
【０１０１】
ＲＥＪ＿ＤＬ＿ｐｗＵＭＴＳ：直近の監視期間中にＤＬにおいて送信電力が不十分なために遮断された、各セルについてのＵＭＴＳ端末から到来した拒否されたリクエストの数のカウンタ。
【０１０２】
ＲＥＪＵＭＴＳ：直近の監視期間中にリソース不足が原因で遮断された、各セルについてのＵＭＴＳ端末から到来した拒否されたリクエストの数のカウンタ。
ＲＥＪＵＭＴＳ＝ＲＥＪ＿ＵＬＵＭＴＳ＋ＲＥＪ＿ＤＬ＿ｃｏｄｅＵＭＴＳ＋ＲＥＪ＿ＤＬ＿ｐｗＵＭＴＳ
ＬｉｓｔＧＳＭ：各セルについての、活動（例えば、ＳＭＳ／ＭＭＳメッセージの送信、電話を受けること、電話を掛けること）を経験したＧＳＭ端末のＩＭＳＩ（国際移動加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｔｙ））又はＴＭＳＩ（一時移動加入者識別番号（Ｔｅｍｐｏｒａｒｙ  Ｍｏｂｉｌｅ  Ｓｕｂｓｃｒｉｂｅｒ  Ｉｄｅｎｔｉｔｙ））又はＴＬＬＩ（一時リンク層識別子（Ｔｅｍｐｏｒａｒｙ  Ｌｉｎｋ  Ｌａｙｅｒ  Ｉｄｅｎｔｉｆｉｅｒ））識別子からなるリスト。このリスト内の全ての要素は、以下のフィールド、即ち、ＩＭＳＩ、ＴＭＳＩ、ＴＬＬＩからなる少なくとも１つの組を含む。
【０１０３】
ＬｉｓｔＵＭＴＳ：各セルについての、活動（例えば、ＳＭＳ／ＭＭＳメッセージの送信、電話を受けること、電話を掛けること）を経験したＵＭＴＳ端末のＩＭＳＩ（又はＴＭＳＩ若しくはＴＬＬＩ）識別子からなるリスト。このリスト内の全ての要素は、以下のフィールド、即ち、ＩＭＳＩ、ＴＭＳＩ、ＴＬＬＩからなる少なくとも１つの組を含む。
【０１０４】
ＮＴＨＲ：ＵＭＴＳ周波数に１つのスクランブリング符号を追加することを可能にする接続の最小数。
【０１０５】
【数３】
2011519520.tif 000005
【０１０６】
：ＵＭＴＳ接続当たりの電力。
【０１０７】
【数４】
2011519520.tif 000006
【０１０８】
：各セルの各周波数についてのＤＬにおいて利用可能な最大利用可能無線周波数電力。
ηｍａｘ：ＵＬにおける最大負荷率。
ηＴＨＲ％：ＵＬにおける負荷率の増加の最小パーセンテージ閾値。負荷率がこの閾値よりも大きなパーセンテージで増加した場合、周波数に関する追加的なスクランブリング符号の活動化が正当化され、それ以外の場合、導入された干渉は遮断の原因の除去を正当化しない。
【０１０９】
Δｃｃ：ヒステリシス現象及び輻輳制御現象を回避するための電力余裕。
Ｎ＿ｒｅｃｏｎｆｉｇ：期間Ｔにおける再構成試行の回数のカウンタ。これは、期間Ｔにおける全てのセルの必要な再構成をカウントする。
【０１１０】
Ｔ＿ＴＨＲ＿ＩＮＣＲＥＡＳＥ：これを下回るとアルゴリズムが期間Ｔを増加させることを決定する、例えばネットワーク事業者によって設定される、対象エリアのセルについてのＮ＿ｒｅｃｏｎｆｉｇのパーセンテージ閾値。
【０１１１】
Ｔ＿ＴＨＲ＿ＤＥＣＲＥＡＳＥ：これを上回るとアルゴリズムが期間Ｔを減少させることを決定する、例えばネットワーク事業者によって設定される、対象エリアのセルについてのＮ＿ｒｅｃｏｎｆｉｇのパーセンテージ閾値。
【０１１２】
ΔＴ＿ＩＮＣＲＥＡＳＥ：例えばネットワーク事業者によって設定される、期間Ｔの値の増加のパーセンテージ。
ΔＴ＿ＤＥＣＲＥＡＳＥ：例えばネットワーク事業者によって設定される、期間Ｔの値の減少のパーセンテージ。
【０１１３】
ＵＮＤＥＲ＿ＲＥＣＯＮＦＩＧ：再構成の全ての要求が満たされるか、又は拒否されるまで、その値がＴＲＵＥであるブールフラグ（ｂｏｏｌｅａｎ  ｆｌａｇ）。
全ての基地局ＢＳ１、ＢＳ２、．．．、ＢＳｋは、例えば以下のデータを使用して、各セルにおける現在の状況を追跡する。
【０１１４】
ＣａｌｌｓＧＳＭ：現在保留中のＧＳＭ呼の数。
ＣａｌｌｓＵＭＴＳ：現在保留中のＵＭＴＳ呼の数。
上に列挙されたデータの数及び性質は説明される実施形態に関連し、本願発明の他の実施形態では変化し得ることを指摘しておく。
【０１１５】
本願発明の一実施形態による方法が、今から詳細に説明される。提示される個々の方法ステップは、本願発明の代替実施形態においては異なり得ることを指摘しておく。
初期セルステータス
初期条件、即ち、本願発明の手順が最初に動作する条件は、例えば以下のデータによって表される。
−  リストＰｌａｎｎｅｄＦｒｅｑＵＭＴＳ及びＰｌａｎｎｅｄＦｒｅｑＧＳＭに含まれる周波数は、ネットワーク計画フェーズにおいて例えばネットワーク事業者によって実行される周波数計画に関係する。
−  全てのセルについて、リストＡｃｔｉｖｅＦｒｅｑＧＳＭ及びＡｃｔｉｖｅＦｒｅｑＵＭＴＳは、例えば、それぞれリストＰｌａｎｎｅｄＦｒｅｑＧＳＭ及びＰｌａｎｎｅｄＦｒｅｑＵＭＴＳと一致することができ、代替的に、リストＡｃｔｉｖｅＦｒｅｑＧＳＭ及びＡｃｔｉｖｅＦｒｅｑＵＭＴＳは各々、それぞれリストＰｌａｎｎｅｄＦｒｅｑＧＳＭ及びＰｌａｎｎｅｄＦｒｅｑＵＭＴＳ内の第１の要素である単一の要素を含むことができる。
−  全てのセルについて、リストＡｖａｉｌａｂｌｅＦｒｅｑＧＳＭは、それぞれのリストＰｌａｎｎｅｄＦｒｅｑＧＳＭ内に存在する全ての非アクティブな周波数と、隣接セルの同様のリストＰｌａｎｎｅｄＦｒｅｑＧＳＭ内に含まれる全ての非アクティブな周波数とを含むことができる。
−  全てのセルについて、リストＡｖａｉｌａｂｌｅＦｒｅｑＵＭＴＳは、それぞれのリストＰｌａｎｎｅｄＦｒｅｑＵＭＴＳ内に含まれる全ての非アクティブな周波数と、隣接セルの同様のリストＰｌａｎｎｅｄＦｒｅｑＵＭＴＳ内に含まれる全ての非アクティブな周波数とを含むことができる。
−  全てのセルについて、数Ｎｔｏｔ。
−  対象エリアについて、リストＡｒｅａＡｃｔｉｖｅＣｏｄｅＵＭＴＳは、対象無線コントローラ（ＲＮＣ）によって扱われる全てのセルの全ての周波数に割り当てられる全てのスクランブリング符号を含む。
−  対象エリアについて、リストＡｒｅａＡｖａｉａｉｌａｂｌｅＣｏｄｅＵＭＴＳは、対象ＲＮＣによって管理されるセルによって使用されていない全てのスクランブリング符号を含む。
−  対象エリアについて、リストＡｖａｉｌａｂｌｅＦｒｅｑＥＸＴＧＳＭは、ある時間間隔の間、ネットワークの外部から（例えばスペクトルブローカによって）利用可能にされるＧＳＭ周波数を含み、このリストは空とすることができる。
−  対象エリアについて、リストＡｖａｉｌａｂｌｅＦｒｅｑＥＸＴＵＭＴＳは、ある時間間隔の間、ネットワークの外部から利用可能にされるＵＭＴＳ周波数を含み、このリストも空とすることができる。
−  ネットワーク事業者によって割り当てられない他の全てのパラメータは、例えば、ヌル値に初期化される。
【０１１６】
対象とするエリアのセル間距離ｄ及び各セルの平均セル半径Ｒが計算される。例えば、図１７を参照すると、あるサイト（１つ又は複数のセルに対応するアンテナが設置された物理位置）に属するセルＡを考えた場合、その方位角値に基づいて、セルの方位角値の間の２等分線（図１７のａ）が、同じサイトの隣接セルの方位角値（図１７のａｚｔ１及びａｚｔ２）とともにトレースされ、そのように識別された扇形内で、その中に含まれるサイトが決定され、半径Ｒ＝２ｄ／３が計算され、ここで、ｄは、対象セルＡが属するサイトと２等分線によって定義される扇形に含まれる最も近いサイト（図１７のＢ）の間の最小のサイト間距離である。
【０１１７】
以降本願明細書では、２つのシステム、即ち、ＧＳＭシステムとＵＭＴＳシステムが共存するネットワークの例が考察される。
第１のマクロステップ
図３を参照すると、第１のマクロステップにおいて、例えば、ＧＳＭサービス要求（例えば、ＳＭＳ／ＭＭＳメッセージの送受信又は呼／接続の開始（開始若しくは終了））が検出された場合（図３のステップ３００）、無線コントローラ１０によって管理される各セルのためのＣＭ１４は、要求を行った端末の識別子（ＴＭＳＩ又はＩＭＳＩ又はＴＬＬＩ）がすでにＬｉｓｔＧＳＭ内に存在するかどうかをチェックする（ステップ３１０）。
【０１１８】
端末識別子がリストＬｉｓｔＧＳＭ内に存在しない場合（ステップ３１０−ＮＯ）、ＣＭ１４は、要求を行った端末の識別子（ＴＭＳＩ又はＩＭＳＩ又はＴＬＬＩ）をリストＬｉｓｔＧＳＭに追加し、カウンタＲＧＳＭを増やし（ステップ３１８）、その後、方法はステップ３２０に進む。端末識別子がリストＬｉｓｔＧＳＭ内にすでに存在する場合（ステップ３１０−ＹＥＳ）、ステップ３１５及び３１８は実行されず、ＣＭ１４は直接ステップ３２０に進む。
【０１１９】
ステップ３２０において、カウンタＲＥＱＧＳＭが増やされる。
サービス要求が満たされない（即ち、遮断、拒否された）場合（ステップ３３０−ＹＥＳ）、カウンタＲＥＪＧＳＭが増やされて（ステップ３３５）、手順は終了し、それとは異なり、サービス要求が受け入れられた場合（ステップ３３０−ＮＯ）、ステップ３３５は実行されず、手順は終了する。
【０１２０】
同様に、第１のマクロステップにおいて、全ての検出されたＵＭＴＳサービス要求（例えば、ＳＭＳ若しくはＭＭＳメッセージの送受信又は呼／接続の開始（開始若しくは終了））について（図４のステップ４００）、無線コントローラ１０によって管理される各セルのためのＣＭ１４は、要求を行った端末の識別子（ＩＭＳＩ又はＴＭＳＩ又はＵ−ＲＮＴＩ（ＵＴＲＡＮ無線ネットワーク一時識別番号（ＵＴＲＡＮ  Ｒａｄｉｏ  Ｎｅｔｗｏｒｋ  Ｔｅｍｐｏｒａｒｙ  Ｉｄｅｎｔｉｔｙ）））がすでにリストＬｉｓｔＵＭＴＳ内に存在するかどうかをチェックする（ステップ４１０）。識別子がリスト内に存在しない場合（ステップ４１０−ＮＯ）、ＣＭ１４は、要求を行った端末の識別子（ＩＭＳＩ又はＴＭＳＩ又はＵ−ＲＮＴＩ）をリストＬｉｓｔＵＭＴＳに追加し（ステップ４１５）、その後、カウンタＲＵＭＴＳを増やし（ステップ４１８）、ステップ４２０に進む。要求を行った端末の識別子がリスト内にすでに存在する場合（ステップ４１０−ＹＥＳ）、ＣＭ１４は直接ステップ４２０に進む。
【０１２１】
ステップ４２０において、カウンタＲＥＱＵＭＴＳが増やされる。
サービス要求が満たされる（即ち、遮断されない）場合（ステップ４３０−ＮＯ）、処理は終了する。
【０１２２】
サービス要求が満たされず（即ち、遮断、拒否され）（ステップ４３０−ＹＥＳ）、遮断の原因がＵＬにある場合（ステップ４３５−ＹＥＳ）、カウンタＲＥＪ＿ＵＬＵＭＴＳが増やされて（ステップ４５０）、手順は終了する。そうではなく、サービス要求遮断がスクランブリング符号の利用不能によって引き起こされた場合（ステップ４４０−ＹＥＳ）、カウンタＲＥＪ＿ＤＬ＿ｃｏｄｅＵＭＴＳが増やされて（ステップ４５３）、手順は終了する。サービス要求遮断の原因がＵＬになく、遮断がスクランブリング符号の利用不能によって引き起こされてもいない場合（ステップ４４０−ＮＯ）、サービス要求の遮断はＤＬにおける不十分な電力に原因があり、カウンタＲＥＪ＿ＤＬ＿ｐｗＵＭＴＳが増やされて（ステップ４５７）、手順は終了する。
第２のマクロステップ
ブールフラグＵＮＤＥＲ＿ＲＥＣＯＮＦＩＧが値ＴＲＵＥを有する場合、以下の動作は、再構成手順をまだ完了していない全てのセル（再構成中のセル）に関しては実行されない。アルゴリズムは、再構成フェーズが開始されたことを契機に、フラグＵＮＤＥＲ＿ＲＥＣＯＮＦＩＧをＴＲＵＥに設定し、カウンタＮ＿ｒｅｃｏｎｆｉｇをゼロにリセットする。
遮断指標測定
第２のマクロステップは、無線コントローラ１０によって管理される全てのセルについて遮断確率を測定し、保存することによって開始し、遮断確率の測定は、例えば以下のようにして実行される（図５）。
【０１２３】
１．時間間隔Ｔにおいて遮断されたＧＳＭ呼のパーセンテージを、
【０１２４】
【数５】
2011519520.tif 000007
【０１２５】
であると推定する（ステップ５００）。
２．時間間隔Ｔにおいて遮断されたＵＭＴＳ呼のパーセンテージを、
【０１２６】
【数６】
2011519520.tif 000008
【０１２７】
であると推定する（ステップ５１０）。
ＲＥＪＵＭＴＳ＝ＲＥＪ＿ＵＬＵＭＴＳ＋ＲＥＪ＿ＤＬ＿ｃｏｄｅＵＭＴＳ＋ＲＥＪ＿ＤＬ＿ｐｗＵＭＴＳ
（言い換えると、ＲＥＪＵＭＴＳは、ＵＭＴＳサービス要求の遮断の全ての可能な原因の合計である）。
【０１２８】
３．セル遮断指標を以下のように計算する。
ＩＢＬＯＣＫＥＤ＝ＢｌｏｃｋｅｄＧＳＭ＋ＢｌｏｃｋｅｄＵＭＴＳ
遮断パーセンテージ推定は、本実施形態では、満たされなかった要求の数と要求の総数の比を計算することによって獲得される。しかし、そのようなパーセンテージ又は恐らくはそれに関連する遮断確率は、他の方法でも決定することができる。
【０１２９】
ＵＭＴＳのケースが関係する限り、サービス要求拒否に至った理由に基づいて、拒否されたサービス要求について区別が行われる。例えば、ＵＭＴＳサービス要求は、要求の受け入れがＵＬにおける干渉が高くなりすぎる原因となる場合、又はＤＬにおいて利用可能なスクランブリング符号が存在しない場合、又はＤＬにおける送信電力が要求を満たすのに不十分な場合に拒否されることがある。
【０１３０】
遮断指標は、例えば、そのようなパーセンテージの合計として計算され、その絶対値は、この例では、可能なセル遮断ステータスに比例する。しかし、遮断指標は、異なる方法で計算することもできる。
【０１３１】
ＣＭ１４は、計算された遮断指標を使用して、例えば、遮断指標の降順に全てのセルに対するソートを実行し、より高い遮断指標ＩＢＬＯＣＫＥＤ値を有するセルが、優先位置に置かれるようにする。
セルステータスチェック
ＣＭ１４は、無線コントローラ１０によって管理される全てのセルを優先順序に従って考慮して、以下のステップを実行する（図６、図７、図８）。
【０１３２】
ＧＳＭサービス要求の数ＲＧＳＭが０よりも大きい場合（ステップ６００−ＹＥＳ）、ＣＭ１４は、以下の式を用いてＧＳＭ要求の新しいパーセンテージを推定し（ステップ６０５）、
【０１３３】
【数７】
2011519520.tif 000009
【０１３４】
それ以外の場合（ステップ６００−ＮＯ）、ステップ６０５は実行されず、ＣＭ１４は直接ステップ６１０に進む。
ステップ６１０において、ＣＭ１４は、ＵＭＴＳサービス要求の数ＲＵＭＴＳが０よりも大きいかどうかをチェックし、大きい場合（ステップ６１０−ＹＥＳ）、ＣＭ１４は、以下の式を用いてＵＭＴＳ要求の新しいパーセンテージを推定し（ステップ６１５）、
【０１３５】
【数８】
2011519520.tif 000010
【０１３６】
それ以外の場合（ステップ６１０−ＮＯ）、ステップ６１５は実行されず、ＣＭ１４は直接ステップ６２０に進む。
上の式は、各システム（ＧＳＭ及びＵＭＴＳ）について、リソース占有及びリソース要求についての、０から１までの範囲の値をとる、それぞれの測定α、βを提供する。より高い測定値は、各システムについてのより大きな要求予測に対応するが、これは、システムについての大域的な占有及び要求をパラメータ化したものである。測定を計算するために異なる式が採用され得ることも意図されている。
【０１３７】
ステップ６２０において、ＣＭ１４は、α＞αＴＨＲＥＳＨＯＬＤ又はβ＞βＴＨＲＥＳＨＯＬＤである（即ち、αがゼロとは見なされず、又はβがゼロとは見なされない）かどうかを評価する。これが成り立たない場合（ステップ６２０−ＮＯ）、方法はステップ６６０に進み、成り立たつ場合（ステップ６２０−ＹＥＳ）、システムのセルのステータスがチェックされる（図７の接続子Ｃ１）。
ＧＳＭセルステータスチェック
図７を参照すると、局所変数ｒｅｃｏｎｆｉｇＧＳＭが、ＦＡＬＳＥに初期化される（ステップ７００）。
【０１３８】
ＢｌｏｃｋｅｄＧＳＭ＞ＢｌｏｃｋｅｄＴｈｒｅｓｈｏｌｄＧＳＭである場合、即ち、遮断された呼のパーセンテージが閾値を超える場合（ステップ７１０−ＹＥＳ）、カウンタＮ＿ｒｅｃｏｎｆｉｇ（再構成の試みの数）が増やされる（ステップ７１５）。
【０１３９】
ＲＥＳｔｏｔ−Ｎｔｏｔ＞ＲＥＳ＿ＦＲＥＱＧＳＭであり（即ち、セルにおいて追加周波数のためのハードウェアリソースが十分に存在し）（ステップ７２０−ＹＥＳ）、リストＡｖａｉｌａｂｌｅＦｒｅｑＧＳＭが空でない場合（ステップ７２２−ＮＯ）、ブール値ＴＲＵＥが、リストＡｖａｉｌａｂｌｅＦｒｅｑＧＳＭの各周波数ｉに関連するフラグＦｌａｇＦｒｅｑＧＳＭｉに割り当てられる（ステップ７３０）。フラグＦｌａｇＦｒｅｑＧＳＭｉは、（値ＴＲＵＥ又は値ＦＡＬＳＥをとり得る）ブールフラグであり、対象周波数が所望のレベルのサービス品質を保証しない場合は値ＦＡＬＳＥをとり、それ以外の場合は値ＴＲＵＥをとる。フラグＦｌａｇＦｒｅｑＧＳＭｉが値ＦＡＬＳＥをとる場合、関連する周波数は、不適切と見なされるため、リソース再構成プロセスから排除される。
【０１４０】
リストＡｖａｉｌａｂｌｅＦｒｅｑＧＳＭ内の少なくとも１つの周波数が、ＦｌａｇＦｒｅｑＧＳＭｉ＝ＴＲＵＥとなる、それに関連するＦｌａｇＦｒｅｑＧＳＭｉを有すると仮定する（ステップ７３５−ＮＯ）。
【０１４１】
リストＡｃｔｉｖｅＦｒｅｑＧＳＭ内に存在するセル内のアクティブなＧＳＭキャリアが、リストＰｌａｎｎｅｄＦｒｅｑＧＳＭ内に存在する計画されたキャリアの全てではない場合（ステップ７４０−ＹＥＳ）、リストＰｌａｎｎｅｄＦｒｅｑＧＳＭ内にも存在するが、リストＡｃｔｉｖｅＦｒｅｑＧＳＭ内には存在せず、リストＡｖａｉｌａｂｌｅＦｒｅｑＧＳＭ内に存在する、フラグＦｌａｇＦｒｅｑＧＳＭｉ＝ＴＲＵＥである第１の周波数が選択され、それが変数ＡｄｄＣａｒｒｉｅｒＧＳＭ内に保存される（ステップ７４２）。
【０１４２】
それ以外であり、リストＡｃｔｉｖｅＦｒｅｑＧＳＭ内に存在するセル内のアクティブなＧＳＭキャリアが、リストＰｌａｎｎｅｄＦｒｅｑＧＳＭ内に存在する計画されたキャリアの全てである場合（ステップ７４０−ＮＯ）、リストＡｃｔｉｖｅＦｒｅｑＧＳＭ内には存在せず、利用可能な周波数のリストＡｖａｉｌａｂｌｅＦｒｅｑＧＳＭ内に存在する、フラグＦｌａｇＦｒｅｑＧＳＭｉ＝ＴＲＵＥである第１の周波数が選択され、変数ＡｄｄＣａｒｒｉｅｒＧＳＭ内に保存される（ステップ７４４）。
【０１４３】
（Ｔ≦Ｔｍｉｍ）又は（ＢｌｏｃｋｅｄＧＳＭ≧ＢｌｏｃｋｅｄＧＳＭ．ｍａｘ）である場合、即ち、期間Ｔが所定の最小値よりも長くは持続しない場合、又は対象セルが（事前設定された値ＢｌｏｃｋｅｄＧＳＭ．ｍａｘよりも高い）高い遮断指標を有する場合（ステップ７４６−ＹＥＳ）、再使用距離Ｄｍｉｎが推定される（ステップ７４９）。この場合、監視期間Ｔが相対的に短いため、又は経験される遮断状況は深刻であり、一刻も早く克服されるべきであるため、セルを迅速に再構成することが好ましいことが認識される。再使用距離の推定は、ピクセル毎に行われるＣ／Ｉレベルの推定、及び対象セル全てにわたる平均Ｃ／Ｉレベルの推定と比べた場合、スピードの要件に従う。ある追加周波数の受け入れ又は排除を可能にする再使用距離の計算は、Ｃ／Ｉレベルの計算と比べた場合、近似であるが、はるかに高速であり、従って、処理時間の短縮を可能にする。理想的な状況の六角形セルと比較される幾何学的考察に基づいて、Ｒ’＝Ｒ／２を獲得することができ、ここで、Ｒ’は補正された平均セル半径を表す。技術文献において報告されているように、
【０１４４】
【数９】
2011519520.tif 000011
【０１４５】
である。幾何学的係数Ｇは、周波数ｉが無線コントローラによって管理されるエリア内で使用された回数とそのようなエリア内に含まれるセルの数の間の逆比として推定される。
【０１４６】
【数１０】
2011519520.tif 000012
【０１４７】
例えば、考察中のセルが属する、図１７のサイトＡを中心とする半径Ｄｍｉｎの円と、図１７の方位角ａ−ａｚｔ１とａ−ａｚｔ２の間の２等分線によって定義される扇形との間の交わりによって定義されるエリアについて考える。前記エリア内に、それぞれのリストＡｃｔｉｖｅＦｒｅｑＧＳＭ内の周波数ＡｄｄＣａｒｒｉｅｒＧＳＭを有するセルが見つからない場合、再使用距離が検証される（ステップ７５０−ＹＥＳ）。この場合、周波数干渉は存在せず、従って、リストから選択された候補周波数ｉを、すでに使用中の周波数に追加することができ、手順はステップ７５４に進む。
【０１４８】
それ以外であり、再使用距離が検証されない（ステップ７５０−ＮＯ）、即ち、前記エリア内に、それぞれのリストＡｃｔｉｖｅＦｒｅｑＧＳＭ内の周波数ＡｄｄＣａｒｒｉｅｒＧＳＭを有する少なくとも１つのセルが存在する場合、幾何学的考察に基づいて予測された干渉の問題のため、選択された周波数ｉを追加することは可能でなく、周波数ｉのためのフラグＦｌａｇＦｒｅｑＧＳＭｉはＦＡＬＳＥに設定され、候補周波数ｉは除去され（ステップ７５２）、リストＡｖａｉｌａｂｌｅＦｒｅｑＧＳＭ内の次の周波数ｉ＋１が考察され（ステップ７５３）、手順はステップ７３５に戻る。
【０１４９】
条件（Ｔ≦Ｔｍｉｍ）又は（ＢｌｏｃｋｅｄＧＳＭ≧ＢｌｏｃｋｅｄＧＳＭ．ｍａｘ）のどちらも検証されない場合（ステップ７４６−ＮＯ）、対象エリアＡｒｅａｉｎｔに属する各セルについて、ピクセルベースのＣ／Ｉｋから開始して、Ｃ／Ｉが推定され（ステップ７４７）、ここで、インデックスｋは、対象セルの最良サーバエリアを構成するピクセル（基本エリア）全体の組にわたる。例えば、
【０１５０】
【数１１】
2011519520.tif 000013
【０１５１】
であり、ここで、Ｃｋは第ｋのピクセルにおいて推定される有益な信号を表し、Ｎは熱雑音であり、Ｉｍは第ｋのピクセルに到達する同等周波数（ｉｓｏｆｒｅｑｕｅｎｔｉａｌ）干渉信号成分である。平均Ｃ／Ｉは、例えば、個々のＣ／Ｉｋの９０％における百分位数として計算することができる。対象エリアＡｒｅａｉｎｔは、考察中のエリア全体と一致することができ、そのような場合、ピクセルのＣ／Ｉの計算は、全てのセルについて行うことができ（しかし、これは、特に対象エリアが相対的に広い場合、長い計算時間を必要とする）、又は対象エリアＡｒｅａｉｎｔは、対象セルに、即ち、追加周波数ｉを見出す試みがそれに関して行われるセルに相対的に近い、考察中のエリアのサブエリアとすることができる（例えば、サブエリアは、検査中のセルを取り囲むセルのリングとすることができる）。
【０１５２】
その後、対象エリアＡｒｅａｉｎｔ内の１つ又は複数のセルの計算された平均Ｃ／Ｉが、サービスを保証するように適合された最小規定値Ｃ／ＩＴＨＲよりも小さいかどうかがチェックされる。例えば、Ｃ／Ｉｉ≦Ｃ／ＩＴＨＲとなるセルｊが存在するかどうかが確かめられる。１つ又は複数のそのようなセルが存在する場合（ステップ７４８−ＹＥＳ）、方法はステップ７５２に進み、考察中の周波数は、干渉問題のために除去される。
【０１５３】
代わりに、全ての平均Ｃ／Ｉｉ値が閾値Ｃ／ＩＴＨＲを上回る場合、方法はステップ７５４に進み、周波数ｉが追加候補として受け入れられる。
変数ＡｄｄＣａｒｒｉｅｒＧＳＭ内に保存された候補周波数がネットワーク事業者に認可されている場合、その候補周波数は、現在のセル及びその隣接セルのリストＡｖａｉｌａｂｌｅＦｒｅｑＧＳＭから除去され、それ以外の場合、変数ＡｄｄＣａｒｒｉｅｒＧＳＭ内に保存された候補周波数は、現在のセルのリストＡｖａｉｌａｂｌｅＦｒｅｑＧＳＭからのみ除去される（ステップ７５４）。
【０１５４】
値Ｎｔｏｔは、新しいキャリアの追加によって利用可能にされた無線リソースの増加に比例して、即ち、量ＲＥＳ＿ＦＲＥＱＧＳＭの増加に比例して増やされる（ステップ７５６）。
【０１５５】
変数ｒｅｃｏｎｆｉｇＧＳＭは、ＴＲＵＥに設定され、即ち、ＣＭ１４は、ＧＳＭセルを再構成することを決定し（ステップ７５８）、方法はステップ８００に進む（接続子Ｃ２及び図８）。
【０１５６】
ステップ７２２に戻ると、リストＡｖａｉｌａｂｌｅＦｒｅｑＧＳＭは空であるが（ステップ７２２−ＹＥＳ）、リストＡｖａｉａｂｌｅｌＦｒｅｑＥＸＴＧＳＭは空でない、即ち、利用可能な外部周波数が存在する（ステップ７２５−ＮＯ）場合、リストＡｖａｉａｂｌｅｌＦｒｅｑＥＸＴＧＳＭ内の第1の周波数が、リストＡｖａｉｌａｂｌｅＦｒｅｑＧＳＭに追加され（ステップ７２７）、方法はステップ７４４に進む。代わりに、リストＡｖａｉａｂｌｅｌＦｒｅｑＥＸＴＧＳＭが空である場合、方法はステップ８００に進む。
【０１５７】
ステップ７２０において、条件ＲＥＳｔｏｔ−Ｎｔｏｔ＞ＲＥＳ＿ＦＲＥＱＧＳＭが満たされない場合（ステップ７２０−ＹＥＳ）、方法はステップ８００に進む。
ステップ８００（図８）において、ＢｌｏｃｋｅｄＧＳＭ＝０であるかどうか（即ち、遮断されたＧＳＭ呼のパーセンテージがゼロであるかどうか）がチェックされる。ゼロでない場合、方法は直接ステップ９００に進む（接続子Ｃ３及び図９）。ゼロである場合（ステップ８００−ＹＥＳ）、ｏｌｄＲＧＳＭ＞ＲＧＳＭであるならば（即ち、ＧＳＭサービス要求の数が直近２つの期間Ｔにおいて減少しているならば）（ステップ８１０−ＹＥＳ）、再構成試行の数Ｎ＿ｒｅｃｏｎｆｉｇが増やされる（ステップ８１３）。無線コントローラは、新しいサービス要求を受け入れないよう、検査中のセルに命令する。反対に、条件ｏｌｄＲＧＳＭ＞ＲＧＳＭが検証されない場合（ステップ８１０−ＮＯ）、方法はステップ９００に進む。
【０１５８】
リストＡｃｔｉｖｅＦｒｅｑＧＳＭ内に含まれるセル内でアクティブなＧＳＭキャリアが少なくとも２つあり（ステップ８２０−ＹＥＳ）（本願明細書で考察される本願発明の例示的な実施形態では、セルの完全なスイッチオフ、即ち、前記セル内でアクティブな全ての周波数の非活動化は考えない）、リスト内に少なくとも１つの外部周波数（例えば、スペクトルブローカによって賃貸借される周波数）が存在する場合、外部周波数が非活動化のために選択され（言い換えると、最初に開放される無線リソースは、好ましくは、他の認可事業者から賃借された、ネットワーク事業者に認可されていない無線リソースであり）（ステップ８３０−ＹＥＳ）、利用可能な周波数のリストＡｃｔｉｖｅＦｒｅｑＧＳＭ内の第１の外部周波数が選択され、変数ＤｒｏｐＣａｒｒｉｅｒＧＳＭ内に保存され（ステップ８３５）、方法はステップ８５０に進む。
【０１５９】
リストＡｃｔｉｖｅＦｒｅｑＧＳＭ内のアクティブな周波数はどれも外部でなく（ステップ８３０−ＮＯ）、リストＡｃｔｉｖｅＦｒｅｑＧＳＭ内に含まれるセルのアクティブなＧＳＭキャリアが、リストＰｌａｎｎｅｄＦｒｅｑＧＳＭ内で列挙される計画されたキャリアの全てではない場合（ステップ８４０−ＮＯ）、利用可能な周波数のリストＡｃｔｉｖｅＦｒｅｑＧＳＭ内に含まれ、リストＰｌａｎｎｅｄＦｒｅｑＧＳＭ内には含まれない第１の周波数が選択され、変数ＤｒｏｐＣａｒｒｉｅｒＧＳＭ内に保存され（ステップ８４５）、方法はステップ８５０に進む。
【０１６０】
代わりに、リストＡｃｔｉｖｅＦｒｅｑＧＳＭ内に含まれるセルのアクティブなＧＳＭキャリアが、リストＰｌａｎｎｅｄＦｒｅｑＧＳＭ内で列挙される計画されたキャリアの全てである場合（ステップ８４０−ＮＯ）、利用可能な周波数のリストＡｃｔｉｖｅＦｒｅｑＧＳＭ内に含まれる第１の周波数が選択され、変数ＤｒｏｐＣａｒｒｉｅｒＧＳＭ内に保存され（ステップ８４３）、方法はステップ８５０に進む。
【０１６１】
ステップ８５０において、非活動化される周波数上の既存の呼が他の無線リソースによってサービスされ得るかどうかが確かめられる。サービスされ得る場合（ステップ８５０−ＹＥＳ）、値Ｎｔｏｔは、１つのキャリアを抑制することによって失われる無線リソースの量に比例して、量ＲＥＳ＿ＦＲＥＱＧＳＭだけ減らされる（ステップ８６０）。変数ｒｅｃｏｎｆｉｇＧＳＭは、ＴＲＵＥに設定され、即ち、ＣＭ１４は、ＧＳＭセルを再構成することを決定する（ステップ８７０）。ハンドオーバ手順を含むことによって、抑制される無線リソース上のアクティブな呼は、他の利用可能な無線リソースへと逸らされる。先に進む前に、ハンドオーバ肯定応答を待つ。ハンドオーバが失敗した場合、１つ又は複数の呼は終了される（ステップ８８０）。無線コントローラ１０は、何れかの新しいサービス要求を受け入れて、それらを抑制された無線リソースに割り当てることを回避するよう命令する（ステップ８９０）。その後、方法はステップ９００に進む。
【０１６２】
非活動化される周波数上の既存の呼が他の無線リソースによってサービスされ得ない場合（ステップ８５０−ＮＯ）、無線リソースは抑制することができず、方法はステップ９００に進む。
【０１６３】
ステップ８２０に戻ると、対象セル内にキャリアが１つしか存在しない場合（ステップ８２０−ＮＯ）、方法はステップ９００に進み、無線リソースは抑制されない（上で述べたように、この例示的な実施形態では、サイトの完全なスイッチオフは考えない）。
ＵＭＴＳセルステータスチェック
ＵＭＴＳシステムのセルに関して、セルのステータスのチェックは、例えば、図９〜図１２のフローチャートに図式化された以下の動作を含む。
【０１６４】
局所変数ｒｅｃｏｎｆｉｇＵＭＴＳが、ＦＡＬＳＥに初期化される（ステップ９００）。
ＢｌｏｃｋｅｄＵＭＴＳ＞ＢｌｏｃｋｅｄＴｈｒｅｓｈｏｌｄＵＭＴＳである場合（即ち、遮断された呼のパーセンテージが閾値を超える場合）（ステップ９１０−ＹＥＳ）、再構成の試みの数であるカウンタＮ＿ｒｅｃｏｎｆｉｇが増やされ（ステップ９１５）、その後、遮断の原因がＵＬにおける不十分な電力か、それともＤＬにおける不十分な電力かが評価される。肯定的なケースにおいて（ステップ９２０−ＹＥＳ）、ＲＥＳｔｏｔ−Ｎｔｏｔ＞ＲＥＳ＿ＦＲＥＱＵＭＴＳであり（即ち、セルハードウェア構成が、追加のキャリアを関連するスクランブリング符号とともに管理するための利用可能なリソースを残しており）（ステップ９３０−ＹＥＳ）、リストＡｖａｉｌａｂｌｅＦｒｅｑＵＭＴＳが空でなく（ステップ９４０−ＮＯ）、リストＡｃｔｉｖｅＦｒｅｑＵＭＴＳ内で列挙されるセル内のアクティブなＵＭＴＳキャリアが、リストＰｌａｎｎｅｄＦｒｅｑＵＭＴＳ内で列挙される計画されたキャリアの全てではない場合（ステップ９４０−ＹＥＳ）、リストＰｌａｎｎｅｄＦｒｅｑＵＭＴＳ内にも存在するが、リストＡｃｔｉｖｅＦｒｅｑＵＭＴＳ内には存在しない、リストＡｖａｉｌａｂｌｅＦｒｅｑＵＭＴＳ内に含まれる第１の周波数が選択され、変数ＡｄｄＣａｒｒｉｅｒＵＭＴＳ内に保存され（ステップ９５３）、その後、方法はステップ９６０に進む。
【０１６５】
それ以外であり（ステップ９５０−ＮＯ）、リストＡｃｔｉｖｅＦｒｅｑＵＭＴＳ内に含まれるセル内のアクティブなＵＭＴＳキャリアが、リストＰｌａｎｎｅｄＦｒｅｑＵＭＴＳ内で列挙される計画されたキャリアの全てである場合リストＡｃｔｉｖｅＦｒｅｑＵＭＴＳ内には存在せず、利用可能な周波数のリストＡｖａｉｌａｂｌｅＦｒｅｑＵＭＴＳ内に含まれる第１の周波数が選択され、変数ＡｄｄＣａｒｒｉｅｒＵＭＴＳ内に保存され（ステップ９５５）、その後、方法はステップ９６０に進む。
【０１６６】
ステップ９６０において、選択された周波数ＡｄｄＣａｒｒｉｅｒＵＭＴＳが、現在のセルのリストＡｖａｉｌａｂｌｅＦｒｅｑＵＭＴＳから削除される。その後、値Ｎｔｏｔが、新しいキャリアのハードウェアリソース占有ＲＥＳ＿ＦＲＥＱＵＭＴＳに比例して増やされる（ステップ９６５）。
【０１６７】
その後、後で説明されるように、キャリアに関連する利用可能なスクランブリング符号が探索される（ステップ９６７）。
その後、変数ｒｅｃｏｎｆｉｇＵＭＴＳは、ＴＲＵＥに設定され、即ち、ＣＭ１４は、ＵＭＴＳセルを再構成することを決定する（ステップ９７０）。方法はステップ１２００に進む（接続子Ｃ４及び図１２）。
【０１６８】
リストＡｖａｉｌａｂｌｅＦｒｅｑＵＭＴＳは空であるが（ステップ９４０−ＹＥＳ）、外部周波数のリストＡｖａｉｌａｂｌｅＦｒｅｑＥＸＴＵＭＴＳは空でない（ステップ９４５−ＮＯ）場合、リストＡｖａｉｌａｂｌｅＦｒｅｑＥＸＴＵＭＴＳ内の第1の周波数が、リストＡｖａｉｌａｂｌｅＦｒｅｑＵＭＴＳに追加され（ステップ９４７）、方法はステップ９５５に進む。利用可能な外部周波数が存在しない場合、又は利用可能な周波数のリストが空である場合（ステップ９４５−ＹＥＳ）、方法はステップ１２００に進む（接続子Ｃ４及び図１２）。
【０１６９】
利用可能なハードウェアリソースが十分には存在しない場合（ステップ９３０−ＮＯ）、方法は直接ステップ１２００に進む。
遮断の主原因がスクランブリング符号の利用不能である場合（ステップ９２０−ＮＯ）、方法はステップ１０００に進む（接続子Ｃ５及び図１０）。Ｎ＿ｆｒｅｑ＿ｃｅｌｌを各セルについてのアクティブな周波数の数とし、全ての周波数ｋ＝Ｎ＿ｆｒｅｑ＿ｃｅｌｌについて、フラグＦｌａｇＦｒｅｑＵＭＴＳｋはＴＲＵＥに設定され（ステップ１０００）、フラグＦｌａｇＦｒｅｑＵＭＴＳｋは、汎用セル内でアクティブな各周波数に関連する（値ＴＲＵＥ又は値ＦＡＬＳＥをとり得る）ブールフラグである。フラグＦｌａｇＦｒｅｑＵＭＴＳｋは、関連する周波数について、スクランブリング符号の追加が可能であることを保証できない場合に値ＦＡＬＳＥをとり、その反対の場合は値ＴＲＵＥをとる。フラグＦｌａｇＦｒｅｑＵＭＴＳｋが値ＦＡＬＳＥをとる場合、追加のスクランブリング符号を対応する周波数に追加することはできず、その周波数は除去される。
【０１７０】
スクランブリング符号を追加するための十分な空きハードウェアリソースが存在する場合、即ち、ＲＥＳｔｏｔ−Ｎｔｏｔ≧ＲＥＳ＿ＣＯＤＥＵＭＴＳである場合（ステップ１０１０−ＹＥＳ）、ＦｌａｇＦｒｅｑＵＭＴＳｋ＝ＴＲＵＥを有する周波数ＡｃｔｉｖｅＦｒｅｑＵＭＴＳ［ｋ］が選択される（ステップ１０１５）。
【０１７１】
スクランブリング符号の周波数ｋへの追加は、ＤＬにおける電力及びＵＬにおける負荷率の要件に従い、例えば、満たされる要件は、以下のものである。
第１の条件は、全体的な電力
【０１７２】
【数１２】
2011519520.tif 000014
【０１７３】
は、選択された周波数に関連する全てのスクランブリング符号にわたって拡散されるというものであり、従って、新しいスクランブリング符号を追加した後、すでにアクティブな符号を用いて送信するために利用可能であり続ける電力は、セル内ですでにアクティブな呼を扱うのに十分であること、及び新しいスクランブリング符号を追加することによって、より多くのサービス要求を扱うことが実際に可能であり、すでにアクティブなスクランブリング符号を用いて扱うことができるサービス要求の数と比較して、係数ＮＴＨＲがより高くなることが必要であり、係数ＮＴＨＲは、ネットワーク管理者によって設定することができ、言い換えると、
【０１７４】
【数１３】
2011519520.tif 000015
【０１７５】
であり、ここで、
【０１７６】
【数１４】
2011519520.tif 000016
【０１７７】
は新しいスクランブリング符号に確保された送信電力であり、
【０１７８】
【数１５】
2011519520.tif 000017
【０１７９】
はすでにアクティブなスクランブリング符号に確保された送信電力であり、
【０１８０】
【数１６】
2011519520.tif 000018
【０１８１】
であり、Ｐｃｃは、最大電力のパーセンテージとして表現される、対象エリアにおける輻輳制御閾値である。以下の条件
【０１８２】
【数１７】
2011519520.tif 000019
【０１８３】
が満たされ、即ち、新しいスクランブリング符号のその周波数への追加は、より多くのサービス要求（ＮＴＨＲ＝１の場合、少なくとも１つ多い）を管理することを可能にする。
満たされる別の条件は、ＵＬにおける第ｋの周波数の負荷率η（ｋ）が最大負荷率ηｍａｘよりも高くならず、新しいスクランブリング符号の周波数ｋへの追加が、全体的な負荷率が少なくともパーセンテージηＴＨＲ％だけ増加することを保証するというものであり、パーセンテージηＴＨＲ％は、ネットワーク管理者によって設定することができる。これらの要件は、例えば、
【０１８４】
【数１８】
2011519520.tif 000020
【０１８５】
をチェックすることによって満たされる。
上記の条件が両方とも満たされる場合（ステップ１０２０−ＹＥＳ）、第ｋの周波数に関する値
【０１８６】
【数１９】
2011519520.tif 000021
【０１８７】
及びη（ｋ）が保存され（ステップ１０２５）、インデックスｋは、インデックスｋがゼロになるまで（ステップ１０３０−ＮＯ）、セルの全ての周波数ｋにわたって繰り返すように減らされ（ステップ１０２７）、方法はステップ１０１５にループバックする。
【０１８８】
インデックスｋがゼロに達すると（ステップ１０３０−ＹＥＳ）、セルの全ての周波数Ｎ＿ｆｒｅｑ＿ｃｅｌｌについて、フラグＦｌａｇＦｒｅｑＵＭＴＳｋ＝ＦＡＬＳＥである場合（ステップ１０４０−ＹＥＳ）、容量問題を解決するために、新しい周波数の追加が試みられ、方法はステップ９３０に進む（接続子Ｃ６及び図９）。それ以外の場合、ステップ１０２０の条件を満たす少なくとも１つの周波数が見つかり、スクランブリング符号ツリー（ｓｃｒａｍｂｌｉｎｇ  ｃｏｄｅｓ  ｔｒｅｅ）をその周波数に追加することが可能であることを意味する（ステップ１０４０−ＮＯ）。
【０１８９】
周波数並びに保存された対応する電力値
【０１９０】
【数２０】
2011519520.tif 000022
【０１９１】
及び負荷率値η（ｋ）は、負荷率の昇順及び電力の降順にソートされ、ソートされたリスト内において、外部周波数と比べて、ネットワーク事業者に認可された周波数に優先的順序を割り当て、このようにして、外部周波数をできるだけ負荷がかからない状態に保つために、ネットワーク事業者に認可された周波数に特権を与える（外部周波数は、好ましくは、トラフィック条件がそれを可能にすると、例えばサービス要求が減少すると直ちに解放される）（ステップ１０５０）。
【０１９２】
ソートされたリスト内の第１の周波数（負荷率η（ｋ）が最も低く、電力
【０１９３】
【数２１】
2011519520.tif 000023
【０１９４】
が最も高い周波数）が選択され（ステップ１０６０）、方法は、周波数Ｋに割り当てられるスクランブリング符号を探索するため、ステップ１１００に進む（接続子Ｃ７及び図１１）。その後、変数ｒｅｃｏｎｆｉｇＵＭＴＳは、ＴＲＵＥに設定され（即ち、ＣＭ１４は、ＵＭＴＳセルを再構成することを決定し）（ステップ９７０）、方法はステップ１２００に進む。
【０１９５】
上で説明された２つの条件が検証されない、即ち、新しいスクランブリング符号を第ｋの周波数に追加するための十分な電力が存在しない場合、及び、新しいスクランブリング符号を周波数ｋに追加することによって負荷率をパーセンテージηＴＨＲ％だけ増やすことが可能でない場合の一方又は双方である場合（ステップ１０２０−ＮＯ）、フラグＦｌａｇＦｒｅｑＵＭＴＳｋは、ＦＡＬＳＥに設定され（ステップ１０２３）、方法はステップ１０２７に進み、検討中の周波数は、スクランブリング符号を追加できる候補周波数の組から除去され、インデックスｋが減らされる。
【０１９６】
ハードウェアリソースが新しいスクランブリング符号を追加するために十分ではなく（ステップ１０１０−ＮＯ）、新しいキャリアの追加のためにも不十分である場合、方法はステップ１２００に進む（接続子Ｃ９及び図９）。
【０１９７】
ＢｌｏｃｋｅｄＵＭＴＳ＜ＢｌｏｃｋｅｄＴｈｒｅｓｈｏｌｄＵＭＴＳである場合（即ち、遮断された呼のパーセンテージが閾値を超えない場合）（ステップ９１０−ＮＯ）、方法は直接ステップ１２００に進む。
【０１９８】
ステップ１２００において、ＢｌｏｃｋｅｄＵＭＴＳ＝０であるかどうか（即ち、遮断されたＵＭＴＳ呼のパーセンテージがゼロであるかどうか）が評価され、ゼロである場合（ステップ１２００−ＹＥＳ）、ｏｌｄＲＵＭＴＳ＞ＲＵＭＴＳであるならば（即ち、ＵＭＴＳサービス要求の数が直近２つの期間Ｔにおいて減少しているならば）（ステップ１２１０−ＹＥＳ）、カウンタＮ＿ｒｅｃｏｎｆｉｇが増やされる（ステップ１２１１）。無線コントローラ１０は、新しいサービス要求を受け入れないよう命令する（ステップ１２１３）。対象セルについて、周波数とスクランブリング符号のペア（ｆｉ，ＰＳＣｊ）に関連する全てのメトリックＭ（ｉ，ｊ）が、各ｉ及びｉに関連する各ｊについて計算される（ステップ１２１７）。そのようなメトリックは、スクランブリング符号に関連するスクランブリング符号ツリーの等価な占有を測定し、メトリック値が高いほど、ツリーを大きく占有する。
【０１９９】
計算されたメトリックの組がスクランブリング符号に関連するツリーを除去することを可能にする場合（ステップ１２２０−ＹＥＳ）、例えば、
【０２００】
【数２２】
2011519520.tif 000024
【０２０１】
であり、少なくとも１つの外部周波数が存在する場合（ステップ１２３０−ＹＥＳ）、第１の外部周波数に関連し、最小のメトリックを有するツリーが、変数ＤｒｏｐＣｏｄｅＵＭＴＳに割り当てられる。このようにして、外部周波数の解放が優先される（ステップ１２３３）。セルの全ての周波数がネットワーク事業者に認可された周波数である場合（ステップ１２３０−ＮＯ）、最小のメトリックＭ（ｉ，ｊ）を有するツリーが、変数ＤｒｏｐＣｏｄｅＵＭＴＳに割り当てられる（ステップ１２３７）。
【０２０２】
ツリーの数は、Ｎｔｒｅｅｓ＝Ｎｔｒｅｅｓ−１のように減らされる（ステップ１２４０）。
カウンタＮｔｏｔは、ＲＥＳ＿ＣＯＤＥＵＭＴＳだけ減らされ、即ち、新しいスクランブリング符号に関連するハードウェアリソースが、全体で利用可能なハードウェアリソースから減算される（ステップ１２４５）。
【０２０３】
変数ＤｒｏｐＣｏｄｅＵＭＴＳに保存されたスクランブリング符号が、検討中の周波数に関連するただ１つのスクランブリング符号である場合（ステップ１２５０−ＹＥＳ）、そのスクランブリング符号が割り当てられた周波数が除去される。除去される周波数は、変数ＤｒｏｐＣａｒｒｉｅｒＵＭＴＳ内に保存される（ステップ１２５３）。カウンタＮｔｏｔは、（ＲＥＳ＿ＦＲＥＱＵＭＴＳ−ＲＥＳ＿ＣＯＤＥＵＭＴＳ）だけ減らされる（ステップ１２５５）。ＲＥＳ＿ＦＲＥＱＵＭＴＳはＲＥＳ＿ＣＯＤＥＵＭＴＳを含むことが仮定される。方法はステップ１２５７に進む。
【０２０４】
その周波数に関連する他のスクランブリング符号が存在する場合、フラグｒｅｃｏｎｆｉｇＵＭＴＳは、ＴＲＵＥに設定される（ステップ１２５７）（即ち、ＣＭ１４は、ＵＭＴＳセルを再構成することを決定する）。
【０２０５】
除去される無線リソースから残存する無線リソースへの、アクティブな呼のハンドオーバが要求される。先に進む前に、ハンドオーバ肯定応答を待ち、１つのハンドオーバが失敗した場合、呼は終了される。
【０２０６】
無線コントローラは、新しいサービス要求を受け入れて、それらを除去された無線リソースに割り当てないよう命令する。
計算されたメトリックの組が、検討中の周波数からスクランブリング符号を除去することを許容しない場合（ステップ１２２０−ＮＯ）、方法はステップ６２５に進む（接続子Ｃ１０及び図６）。
【０２０７】
サービス要求の数が直近２つの期間Ｔにおいて減少していない場合（ステップ１２１０−ＮＯ）、方法はステップ６２５に進む。
遮断された呼のパーセンテージがゼロでない場合（１２００−ＮＯ）、方法はステップ６２５に進む。
周波数に割り当てられるスクランブリング符号の探索
図１１を参照すると、対象エリア内において利用可能でアクティブな全てのスクランブリング符号ｉについて、フラグＦｌａｇＣｏｄｅｉがＴＲＵＥに設定される（ステップ１１００）。フラグＦｌａｇＣｏｄｅｉは、各対象エリア内においてアクティブ又は利用可能な各スクランブリング符号に関連するブール値（ＴＲＵＥ又はＦＡＬＳＥ）をとることができる。フラグＦｌａｇＣｏｄｅｉは、新しいスクランブリング符号を非活動化する場合に、利用可能又はアクティブな符号からなるリスト内で、ネットワーク環境と適合したスクランブリング符号（例えば、隣接セルで使用されていないスクランブリング符号）を区別するために使用される。最初にＴＲＵＥに設定される値は、そのスクランブリング符号がネットワーク環境と適合しない場合、ＦＡＬＳＥに変更され、結果として、（例えば、そのスクランブリング符号は、検査中のセルの近隣セルにおいてすでにアクティブであるので）検討中の周波数に対して活動化することはできない。
【０２０８】
リストＡｒｅａＡｖａｉｌａｂｌｅＣｏｄｅＵＭＴＳが空ででないか（ステップ１１１０−ＮＯ）、又はリスト内にＦｌａｇＣｏｄｅｉ≠ＦＡＬＳＥである少なくとも１つのスクランブリング符号ｉが存在する場合、即ち、検査中のセルが属するエリア内に利用可能なスクランブリング符号が存在し、利用可能なスクランブリング符号がネットワーク環境に適合しないとして除去されていない場合、方法は、リストＡｒｅａＡｃｔｉｖｅＣｏｄｅＵＭＴＳ内には存在せず、フラグＦｌａｇＣｏｄｅｉ＝ＴＲＵＥである、リストＡｒｅａＡｖａｉｌａｂｌｅＣｏｄｅＵＭＴＳ内の第１のスクランブリング符号を、変数ＡｄｄＣｏｄｅＵＭＴＳに割り当て（ステップ１１２０）、その後、ステップ１１４０に進む。
【０２０９】
代わりに、リストＡｒｅａＡｖａｉｌａｂｌｅＣｏｄｅＵＭＴＳが空であるか、又はリストの各スクランブリング符号ｉについて、ＦｌａｇＣｏｄｅｉ＝ＦＡＬＳＥである場合（ステップ１１１０−ＹＥＳ）、方法は、フラグＦｌａｇＣｏｄｅｉ＝ＴＲＵＥを有する、リストＡｒｅａＡｃｔｉｖｅＣｏｄｅＵＭＴＳの第１のスクランブリング符号を、変数ＡｄｄＣｏｄｅＵＭＴＳに割り当て（ステップ１１３０）、ステップ１１４０に進む。
【０２１０】
変数ＡｄｄＣｏｄｅＵＭＴＳ内に保存されたスクランブリング符号が、検査中のセルが配置されたネットワーク環境と適合する（例えば、検査中のセルに隣接するセル内には存在しない）場合（ステップ１１４０−ＹＥＳ）、変数ＡｄｄＣｏｄｅＵＭＴＳ内に保存された符号が、リストＡｒｅａＡｖａｉｌａｂｌｅＣｏｄｅＵＭＴＳから除去され（ステップ１１６０）、カウンタＮｔｏｔが、ＲＥＳ＿ＣＯＤＥＵＭＴＳだけ増やされ、即ち、利用されるハードウェアリソースの全体的な値が、スクランブリング符号の追加に対応する量だけ増やされ（ステップ１１７０）、その後、方法はステップ９７０に進む（接続子Ｃ８）。
【０２１１】
それとは異なり、変数ＡｄｄＣｏｄｅＵＭＴＳ内に保存されたスクランブリング符号が、ネットワーク環境と適合しない場合、フラグＦｌａｇＣｏｄｅｉは、ＦＡＬＳＥに設定され（ステップ１１５０）、方法はステップ１１１０に戻り、別のスクランブリング符号を試みる。
動的セル構成
再び図６を参照すると、ステップ６２５において、インデックスｉの全ての値について、フラグＦｌａｇＦｒｅｑＧＳＭｉ及びＦｌａｇＦｒｅｑＵＭＴＳｉがＴＲＵＥに設定される。
【０２１２】
フラグｒｅｃｏｎｆｉｇＧＳＭがＴＲＵＥに等しいか、又はフラグｒｅｃｏｎｆｉｇＵＭＴＳがＴＲＵＥに等しく（即ち、ＣＭ１４が、ＧＳＭセル又はＵＭＴＳセルを再構成することを決定し）（ステップ６３０−ＹＥＳ）、α≧β、及びｒｅｃｏｎｆｉｇＧＳＭがＴＲＵＥに等しい（ステップ６４０−ＹＥＳ）場合、ＡＧＳＭは、αＮＴＯＴに等しく設定され、ＡＵＭＴＳは、（１−α）Ｎｔｏｔに等しく設定される（このようにして、αがβ以上である場合は、リソースの大部分はＧＳＭに割り当てられる）（ステップ６４５）。
【０２１３】
ＣＭ１４は、セルを管理する基地局に、以下のフィールドを有するＣＥＬＬ  ＲＥＣＯＮＦＩＧＵＲＡＴＩＯＮ  ＣＯＭＭＡＮＤ再構成メッセージを送信する（ステップ６５８）。
−  セル識別子
−  構成されるＧＳＭリソースの数：ＡＧＳＭ
−  構成されるＵＭＴＳリソースの数：ＡＵＭＴＳ
−  セル内で構成されているＧＳＭキャリアのリスト：ＡｃｔｉｖｅＦｒｅｑＧＳＭ、これに対して（存在すれば）ＡｄｄＣａｒｒｉｅｒＧＳＭが追加され、これから（存在すれば）ＤｒｏｐＣａｒｒｉｅｒＧＳＭが除去される
−  セル内で構成されているＵＭＴＳキャリアのリスト：ＡｃｔｉｖｅＦｒｅｑＵＭＴＳ、これに対して（存在すれば）ＡｄｄＣａｒｒｉｅｒＵＭＴＳが追加され、これから（存在すれば）ＤｒｏｐＣａｒｒｉｅｒＵＭＴＳが除去される
−  セルの１つ又は複数の周波数に追加されるスクランブリング符号ＡｄｄＣｏｄｅｒＵＭＴＳ
ステップ６４０における条件が検証されず（ステップ６４０−ＮＯ）、フラグｒｅｃｏｎｆｉｇＵＭＴＳがＴＲＵＥに等しい（ステップ６５０−ＹＥＳ）場合、ＡＵＭＴＳは、βＮＴＯＴに等しく設定され、ＡＧＳＭは、（１−β）Ｎｔｏｔに等しく設定される（即ち、βがα以上である場合は、リソースの大部分はＵＭＴＳに割り当てられる）（ステップ６５５）。
【０２１４】
ＣＭ１４は、セルを管理する基地局に、以下のフィールドを有するＣＥＬＬ  ＲＥＣＯＮＦＩＧＵＲＡＴＩＯＮ  ＣＯＭＭＡＮＤ再構成メッセージを送信する（ステップ６５８）。
−  セル識別子
−  構成されるＧＳＭリソースの数：ＡＧＳＭ
−  構成されるＵＭＴＳリソースの数：ＡＵＭＴＳ
−  セル内で構成されているＧＳＭキャリアのリスト：ＡｃｔｉｖｅＦｒｅｑＧＳＭ、これに対して（存在すれば）ＡｄｄＣａｒｒｉｅｒＧＳＭが追加され、これから（存在すれば）ＤｒｏｐＣａｒｒｉｅｒＧＳＭが除去される
−  セル内で構成されているＵＭＴＳキャリアのリスト：ＡｃｔｉｖｅＦｒｅｑＵＭＴＳ、これに対して（存在すれば）ＡｄｄＣａｒｒｉｅｒＵＭＴＳが追加され、これから（存在すれば）ＤｒｏｐＣａｒｒｉｅｒＵＭＴＳが除去される
−  セルの１つ又は複数の周波数に追加されるスクランブリング符号ＡｄｄＣｏｄｅｒＵＭＴＳ
フラグｒｅｃｏｎｆｉｇＵＭＴＳがＴＲＵＥに等しくない場合（ステップ６５０−ＮＯ）、方法はステップ６６０に進み、ｏｌｄＲＧＳＭがＲＧＳＭに等しく設定され、ｏｌｄＲＵＭＴＳがＲＵＭＴＳに等しく設定され（ステップ６６０）、その後、リストＬｉｓｔＧＳＭ及びＬｉｓｔＵＭＴＳが空にされ（ステップ６６５）、カウンタＲＧＳＭ及びＲＵＭＴＳがリセットされ（ステップ６７０）、カウンタＲＥＱＧＳＭ及びＲＥＪＧＳＭがリセットされ（ステップ６７５）、カウンタＲＥＱＵＭＴＳ及びＲＥＪＵＭＴＳがリセットされる（ステップ６８０）。
【０２１５】
基地局は、ＣＥＬＬ  ＲＥＣＯＮＦＩＧＵＲＡＴＩＯＮ  ＣＯＭＭＡＮＤ再構成メッセージを受信すると（図１３、ステップ１３００）、例えば以下の手順を実行する。
必要とされる構成がセルリソースと適合し（即ち、全リソースの数ＲＥＳｔｏｔが合計ＡＧＳＭ＋ＡＵＭＴＳ以上であり）（ステップ１３１０−ＹＥＳ）、必要とされるＧＳＭリソースの数ＡＧＳＭが現在のアクティブなＧＳＭ呼の数ＣａｌｌｓＧＳＭ以上であり（ステップ１３２０−ＹＥＳ）、必要とされるＵＭＴＳリソースの数ＡＵＭＴＳが現在のアクティブなＵＭＴＳ呼の数ＣａｌｌｓＵＭＴＳ以上である（ステップ１３３０−ＹＥＳ）場合、再構成が実行される（ステップ１３４０）。
【０２１６】
再構成が成功した場合、セル識別子を含むＣＥＬＬ  ＲＥＣＯＮＦＩＧＵＲＡＴＩＯＮ  ＣＯＭＰＬＥＴＥ確認メッセージが無線コントローラに送信される（ステップ１３５０）。
【０２１７】
再構成が行えない場合（ステップ１３１０−ＮＯ、ステップ１３２０−ＮＯ、ステップ１３３０−ＮＯ）、セル識別子を含むＣＥＬＬ  ＲＥＣＯＮＦＩＧＵＲＡＴＩＯＮ  ＦＡＩＬＵＲＥ確認メッセージが無線コントローラに送信される（ステップ１３３５）。
【０２１８】
ＣＥＬＬ  ＲＥＣＯＮＦＩＧＵＲＡＴＩＯＮ  ＣＯＭＰＬＥＴＥ再構成メッセージを受信すると、無線コントローラは、例えば、以下のことを行うことができる。
１．ＮＧＳＭ＝ＡＧＳＭと設定することによって、ＧＳＭのための利用可能なリソースの構成を更新する。
【０２１９】
２．ＮＵＭＴＳ＝ＡＵＭＴＳと設定することによって、ＵＭＴＳのための利用可能なリソースの構成を更新する。
３．ＡｄｄＣａｒｒｉｅｒＧＳＭが存在する場合、
ａ．ＡｄｄＣａｒｒｉｅｒＧＳＭ周波数をＡｃｔｉｖｅＦｒｅｑＧＳＭに追加する。
【０２２０】
４．ＤｒｏｐＣａｒｒｉｅｒＧＳＭが存在する場合、
ａ．ＤｒｏｐＣａｒｒｉｅｒＧＳＭ周波数をＡｃｔｉｖｅＦｒｅｑＧＳＭからキャンセルし、
ｂ．その周波数がネットワーク事業者に認可されたものの１つならば、そのようなＤｒｏｐＣａｒｒｉｅｒＧＳＭ周波数を検討中のセルのＡｖａｉｌａｂｌｅＦｒｅｑＧＳＭに追加し、そうではなく、解放された周波数が外部ならば、何も行わない。
【０２２１】
５．ＡｄｄＣａｒｒｉｅｒＵＭＴＳが存在する場合、
ａ．ＡｄｄＣａｒｒｉｅｒＵＭＴＳ周波数をＡｃｔｉｖｅＦｒｅｑＵＭＴＳに追加する。
【０２２２】
６．ＤｒｏｐＣａｒｒｉｅｒＵＭＴＳが存在する場合、
ａ．ＡｃｔｉｖｅＦｒｅｑＵＭＴＳ内のＤｒｏｐＣａｒｒｉｅｒＵＭＴＳ周波数をキャンセルし、
ｂ．その周波数がネットワーク事業者に認可されたものの１つならば、そのようなＤｒｏｐＣａｒｒｉｅｒＵＭＴＳ周波数をセルのＡｖａｉｌａｂｌｅＦｒｅｑＵＭＴＳに追加し、そうではなく、解放された周波数が外部ならば、何も行わない。
【０２２３】
７．ＡｄｄＣｏｄｅＵＭＴＳが存在する場合、
ａ．ＡｄｄＣｏｄｅＵＭＴＳをＡｒｅａＡｃｔｉｖｅＣｏｄｅＵＭＴＳに追加する。
８．ＤｒｏｐＣｏｄｅＵＭＴＳが存在する場合、
ａ．符号ＤｒｏｐＣｏｄｅＵＭＴＳをＡｒｅａＡｃｔｉｖｅＣｏｄｅＵＭＴＳからキャンセルし、
ｂ．符号ＤｒｏｐＣｏｄｅＵＭＴＳをＡｒｅａＡｖａｉｌａｂｌｅＣｏｄｅＵＭＴＳに追加する。
【０２２４】
９．ＡＧＳＭ、ＡＵＭＴＳ、ＡｄｄＣａｒｒｉｅｒＧＳＭ、ＤｒｏｐＣａｒｒｉｅｒＧＳＭ、ＡｄｄＣａｒｒｉｅｒＵＭＴＳ、ＤｒｏｐＣａｒｒｉｅｒＵＭＴＳ、ＡｄｄＣｏｄｅｒＵＭＴＳ、ＤｒｏｐＣｏｄｅＵＭＴＳをリセットする。
【０２２５】
ＣＥＬＬ  ＲＥＣＯＮＦＩＧＵＲＡＴＩＯＮ  ＦＡＩＬＵＲＥ再構成メッセージを受信すると、無線コントローラは、以下のことを行うことができる。
１．ＡＧＳＭ及びＡＵＭＴＳをリセットする。
【０２２６】
２．ＡｄｄＣａｒｒｉｅｒＧＳＭが存在する場合、
ａ．失敗のために追加されなかったリソースの新しい量に比例してＮｔｏｔの値を減らし、
ｂ．その周波数がネットワーク事業者に認可されたものの１つならば、そのようなＡｄｄＣａｒｒｉｅｒＧＳＭ周波数をこのセルのリストＡｖａｉｌａｂｌｅＦｒｅｑＧＳＭに追加し、一方、周波数が外部ならば、何も行わない。
【０２２７】
３．ＡｄｄＣａｒｒｉｅｒＵＭＴＳが存在する場合、
ａ．失敗のために追加されなかったリソースの新しい量に比例してＮｔｏｔの値を減らし、
ｂ．周波数ＡｄｄＣａｒｒｉｅｒＵＭＴＳがネットワーク事業者に認可されたものの１つならば、そのようなＡｄｄＣａｒｒｉｅｒＵＭＴＳをこのセル及び隣接セルのリストＡｖａｉｌａｂｌｅＦｒｅｑＵＭＴＳに追加し、それ以外ならば、何も行わない。
【０２２８】
４．ＡｄｄＣｏｄｅＵＭＴＳが存在する場合、
ａ．失敗のために追加されなかったリソースに比例してカウンタＮｔｏｔの値を減らし、
ｂ．符号ＡｄｄＣｏｄｅＵＭＴＳをセルを管理する無線コントローラのリストＡｒｅａＡｖａｉｌａｂｌｅＣｏｄｅＵＭＴＳに追加する。
【０２２９】
５．ＤｒｏｐＣａｒｒｉｅｒＧＳＭが存在する場合、
ａ．失敗のために除去されなかったリソースの新しい量に比例してカウンタＮｔｏｔの値を増やす。
【０２３０】
６．ＤｒｏｐＣａｒｒｉｅｒＵＭＴＳが存在する場合、
ａ．失敗のために除去されなかったリソースの新しい量に比例してカウンタＮｔｏｔの値を増やす。
【０２３１】
８．ＤｒｏｐＣｏｄｅＵＭＴＳが存在する場合、
ａ．失敗のために除去されなかったリソースの新しい量に比例してカウンタＮｔｏｔの値を増やす。
【０２３２】
７．ＡｄｄＣａｒｒｉｅｒＧＳＭ、ＤｒｏｐＣａｒｒｉｅｒＧＳＭ、ＡｄｄＣａｒｒｉｅｒＵＭＴＳ、ＤｒｏｐＣａｒｒｉｅｒＵＭＴＳをリセットする。
全てのＣＥＬＬ＿ＲＥＣＯＮＦＩＧＵＲＡＴＩＯＮ＿ＣＯＭＰＬＥＴＥメッセージ及び全てのＣＥＬＬ＿ＲＥＣＯＮＦＩＧＵＲＡＴＩＯＮ＿ＦＡＩＬＵＲＥメッセージの一方又は双方の受信時に、フラグＵＮＤＥＲ＿ＲＥＣＯＮＦＩＧがＦＡＬＳＥに設定される。
【０２３３】
その後、再構成のパーセンテージが、％Ｒｅｃｏｎｆｉｇ＝（Ｎ＿ｃｏｎｆｉｇ／Ｎ＿ＲＡＴ＊Ｎ＿ｃｅｌｌ）として計算され、ここで、Ｎ＿ＲＡＴは、動作中のＲＡＴの数であり（本願明細書の例では、ＲＡＴはＧＳＭシステムとＵＭＴＳシステムであるので、Ｎ＝２である）、Ｎ＿ｃｅｌｌは、対象エリア内のセルの数である。
【０２３４】
％Ｒｅｃｏｎｆｉｇ＜Ｔ＿ＴＨＲ＿ＩＮＣＲＥＡＳＥである場合、これは、期間Ｔが短すぎ、パーセンテージΔＴ＿ＩＮＣＲＥＡＳＥだけ増やすべきであることを意味し、それ以外の場合は、期間Ｔは変更されない。
【０２３５】
％Ｒｅｃｏｎｆｉｇ＞Ｔ＿ＴＨＲ＿ＤＥＣＲＥＡＳＥである場合、これは、期間Ｔが長すぎ、パーセンテージΔＴ＿ＤＥＣＲＥＡＳＥだけ減らすべきであることを意味し、それ以外の場合は、期間Ｔは変更されない。
【０２３６】
ある時間間隔の後、１つ又は複数の外部周波数を解放しなければならない場合、アルゴリズムは、周波数を非活動化し、それ（それら）を解放する。
アルゴリズムによって検討されるエリアは、例えば、無線コントローラ（ＲＮＣ若しくはＢＳＣ）によって管理されるセルのグループ、ＭＳＣ若しくはＳＧＳＮのエリア、又はＯ＆Ｍ（運用及び保守（Ｏｐｅｒａｔｉｏｎ  ＆  Ｍａｉｎｔｅｎａｎｃｅ））ネットワークノードによって管理されるエリア等、任意の地理的エリアに対応することができる。例えば、ＨＳＰＡエボリューション又はＥ−ＵＴＲＡＮ（別名ＬＴＥ）におけるような、フラットなＲＡＮアーキテクチャを有する（即ち無線コントローラなしの）無線インタフェースの場合、アルゴリズムは、ノードＢ内にも存在して、標準機能（例えば、ＳＯＮ（自己組織化ネットワーク（Ｓｅｌｆ  Ｏｒｇａｎｉｚｉｎｇ  Ｎｅｔｗｏｒｋ）））を利用することができる。
【０２３７】
代替として、第２のマクロステップの開始時ではなく、再構成が最初に必要とされるときに、変数ＵＮＤＥＲ＿ＲＥＣＯＮＦＩＧをＴＲＵＥに設定することができる。
別の変形は、変数ＵＮＤＥＲ＿ＲＥＣＯＮＦＩＧがＴＲＵＥである場合に、第２のマクロステップの開始時に実行される動作に関する。特に、まだ確認が期待されるセルについて動作を実行しないのではなく、動作は対象エリアの全てのセルについて実行できない。
【０２３８】
上で述べられたことの代替として、パラメータ％Ｒｅｃｏｎｆｉｇは、Ｎ＿ｃｏｎｆｉｇ／Ｎ＿ｃｅｌｌとして計算することもでき、ここで、Ｎ＿ｃｅｌｌは、対象エリアのセルの数である。そのような場合、カウンタＮ＿ｃｏｎｆｉｇは、各対象セルについて、そのセル内に存在する全てのＲＡＴを考慮して、１回だけ増加させなければならない。
【０２３９】
例において指摘されたように、説明されたようなセルラネットワークを再構成するための方法は、無線コントローラによって管理されるネットワーク内で、無線リソースを
−  例えば多くのシステムがある場合に、セル内で移転すること、及び
−  １つ又は複数のシステムがある場合に、負荷の小さなセルから負荷の大きなセルに移転すること
の一方又は双方によって、複数の基地局によって管理されるセルを再構成することが可能である。
【０２４０】
本実施形態によるセルは、そのセルを管理する基地局から独立して再構成され、それによって、複数の基地局によってカバーされるエリア内におけるセルラネットワーク挙動を最適化することが可能である。
【０２４１】
一例として説明された本願発明の実施形態では、管理されるセルラ無線モバイルシステムは、ＧＳＭ／ＧＰＲＳ／ＥＤＧＥ及びＵＭＴＳである。
当業者であれば認識できるように、本願発明は、再構成可能な基地無線局を含む、例えば、ＨＳＰＡ及びＨＳＰＡエボリューション、ＣＤＭＡ  Ｏｎｅ、ＣＤＭＡ  ２０００、ＷＬＡＮ（８０２．１１ｘ）、８０２．１６（ＷｉＭＡＸ）、Ｅ−ＵＴＲＡＮ、ＤＶＢ−Ｔ、ＤＶＢ−Ｓ、ＤＶＢ−Ｈ等の、他のセルラ及びワイヤレスシステムにも適用することができる。例えば、ＨＳＰＡ及びＨＳＰＡエボリューションは、ＵＭＴＳシステムの進化型であり、従って、ＣＤＭＡアクセス技法に基づいているので、ＵＭＴＳについて上で説明されたことは、これらの種類のシステムにも適用することができる。更なる例として、Ｅ−ＵＴＲＡＮシステム及びＷｉＭＡＸシステムは、ＯＦＤＭＡアクセス技法に基づいており、即ち、時間がＴＴＩ（伝送時間間隔（Ｔｒａｎｓｍｉｓｓｉｏｎ  Ｔｉｍｅ  Ｉｎｔｅｒｖａｌ））でスロット化され、各サブキャリアに割り当てられる帯域幅が固定される（例えばＥ−ＵＴＲＡＮの場合は１５ｋＨｚ）、時間周波数行列リソース割り当て（ｔｉｍｅ−ｆｒｅｑｕｅｎｃｙ  ｍａｔｒｉｘ  ｒｅｓｏｕｒｃｅ  ａｌｌｏｃａｔｉｏｎ）に基づいている。このような状況では、ＧＳＭについて上で説明されたことは、これらのシステムにも適用することができる。本願明細書の例では、２つの無線システムを管理できる再構成可能な基地局について言及がなされ、そのようなタイプの例について、方法が詳細に説明された。代替実施形態では、本願発明の方法は、単一のタイプのシステムを管理できる再構成可能な基地局を含むセルラネットワークにおいても適用することができる。
【０２４２】
代替として、当業者であれば理解できるように、本願発明の方法は、３つ以上のタイプのシステムを管理できる再構成可能な基地局を含むセルラネットワークにおいても適用することができる。
【０２４３】
本願発明によれば、無線コントローラ１０と基地局（ＢＳ１、ＢＳ２、．．．、ＢＳｋ）の間の再構成メッセージのための通信プロトコルは、使用されるシステムから独立した特定の通信チャネル上で送信されるプロトコルメッセージの使用を可能にする。
【０２４４】
例えば、本願発明の更なる実施形態は、対象システムに存在するチャネルの１つを、例えば、使用されるシステムのための規格（例えば、ＧＳＭの場合のＡｂｉｓインタフェース、又はＵＭＴＳの場合のｌｕｂインタフェース）によって提供されるチャネルの１つを、通信チャネルとして使用することを可能にすることができる。この目的のため、例えば、ＧＳＭの場合の基地トランシーバ局管理（ＢＴＳＭ：Ｂａｓｅ  Ｔｒａｎｓｃｅｉｖｅｒ  Ｓｔａｔｉｏｎ  Ｍａｎａｇｅｍｅｎｔ）、及びＵＭＴＳの場合のノードＢアプリケーションパート（ＮＢＡＰ：ＮｏｄｅＢ  Ａｐｐｌｉｃａｔｉｏｎ  Ｐａｒｔ）等の、無線コントローラ１０と基地局（ＢＳ１、ＢＳ２、．．．、ＢＳｋ）の間の通信チャネルに関連するインタフェース管理プロトコルに対する変更を、説明されたようなプロトコルメッセージ、それぞれのフィールド、及び関連手順を挿入することによって行うことができる。
【０２４５】
本願発明の好ましい実施形態の説明は、手順の初期動作条件が、例えば通信事業者によって実行される周波数計画に基づくことを示す。
可能な代替実施形態は、手順の初期動作条件が、内容を欠いた周波数計画で、即ち、ＰｌａｎｎｅｄＦｒｅｑＧＳＭ及びＰｌａｎｎｅｄＦｒｅｑＵＭＴＳの量がゼロである周波数計画で開始し、そのような場合は、事前に周波数計画を定義するための通信事業者の介入を必要とせずに、２つのマクロステップを実行するときに、本願発明による方法が、各セル内で使用される周波数を自動的に決定する。
【０２４６】
好ましい実施形態の説明は、ＧＳＭ無線リソース又はチャネルとして周波数を識別し、ＵＭＴＳ無線リソースとして周波数とスクランブリング符号のペアを識別した。しかし、識別される無線リソースは、セルラネットワーク内では、タイムスロット、又は周波数とタイムスロットとスクランブリング符号の組み合わせとすることもでき、従って、更なる実施形態は、本願発明の方法を実施するためのそのようなリソースの使用を可能にすることができる。
【０２４７】
単一の無線コントローラに関連する説明されたアーキテクチャは、複数の再構成可能な基地局を用いて、複数のセルをチェックし、再構成するように構成される。
代替実施形態は、例えば、異なる無線コントローラによって制御されるセルの間で無線リソース又はチャネルを交換することによって、データ及びメッセージを交換し、本願発明による方法を拡張的に適用するように構成された、複数の相互接続された無線コントローラを含むアーキテクチャを提供することができる。
【０２４８】
説明された本願発明は、より負荷が小さなセルから無線リソースを奪取することによって、より負荷が大きなセルにより多くの無線リソースを割り当てるために、ネットワークセルを動的に再構成することを可能にする。再構成は、無線リソースの追加に起因するネットワーク動作に対する予測される影響は、無線品質が十分に高く維持されることを保証するとの評価が得られた場合に限って実行される。
【０２４９】
代替実施形態は、ネットワークセルトラフィックの量が変化した場合に、無線装置又は基地局を旧式のシステム又は過去に導入されたシステムに関連する初期構成から新しいシステムに関連する新しい構成に変換することによって、通信事業者が無線装置又は基地局を再構成することを可能にすることができる。そのような更なる実施形態は、新たに導入されるシステムに向けてトラフィック進化を段階的に辿ることによって、１つのシステムから別のシステムへのネットワーク変形を動的に管理するのに有益である。
【０２５０】
本願発明から逸脱することなく、上記の説明には、サイズ、形状、材料、構成要素、回路要素、接続についてばかりでなく、単に非限定的な例として示された構成細部及び動作方法においても、変更又は変形が可能であることが理解されよう。
【図１】
2011519520.tif 000025
【図２Ａ−２Ｂ】
2011519520.tif 000026
【図３】
2011519520.tif 000027
【図４】
2011519520.tif 000028
【図５】
2011519520.tif 000029
【図６】
2011519520.tif 000030
【図７】
2011519520.tif 000031
【図８】
2011519520.tif 000032
【図９】
2011519520.tif 000033
【図１０】
2011519520.tif 000034
【図１１】
2011519520.tif 000035
【図１２】
2011519520.tif 000036
【図１３】
2011519520.tif 000037
【図１４】
2011519520.tif 000038
【図１５】
2011519520.tif 000039
【図１６】
2011519520.tif 000040
【図１７】
2011519520.tif 000041
【国際調査報告】
2011519520.tif 000042
2011519520.tif 000043